(57)【要約】  基地局は、ＵＥにおける保留データの送信のためのアップリンクリソースを示す、ユーザ機器（ＵＥ）への許可を送信し得る。アップリンクリソースは、送信時間間隔（ＴＴＩ）および／または短縮されたＴＴＩ（ｓＴＴＩ）に関連付けられたアップリンクリソースを含み得る。ＵＥは、データタイプ（例えば、低レイテンシデータ、インターネットトラフィックなど）に関連付けられた保留データを識別し、アップリンクリソースの許可のためのスケジューリング要求（ＳＲ）を送信し得る。保留データのデータタイプ（例えば、バッファステータスに関連付けられた論理チャネルグループ識別（ＬＣＧ ＩＤ））は、レイテンシを低減するためにアップリンクリソースがＵＥに許可され得るように示され得る。いくつかの態様では、ＳＲは、ｓＴＴＩに関連付けられたアップリンクリソースを示し得る。さらに、ＵＥは、保留データと、受信された許可内の他のデータに関連付けられたバッファステータスレポート（ＢＳＲ）とを優先順位付けし得る。
2020511864.tif 000002
【特許請求の範囲】
【請求項１】
ワイヤレス通信のための方法であって、
第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、またはバッファステータスレポート（ＢＳＲ）、または両方を送信することと
を備える、方法。
【請求項２】
前記スケジューリング要求を送信することは、
前記第２のデータタイプの制御チャネルに関連付けられたＴＴＩを使用して、前記スケジューリング要求を送信すること
を備える、請求項１に記載の方法。
【請求項３】
前記スケジューリング要求は、前記第１のデータタイプに関連付けられた短縮されたＴＴＩ（ｓＴＴＩ）を示す、請求項２に記載の方法。
【請求項４】
前記制御チャネルは、物理アップリンク制御チャネル（ＰＵＣＣＨ）を備える、請求項２に記載の方法。
【請求項５】
前記スケジューリング要求を送信することは、
短縮されたＴＴＩ（ｓＴＴＩ）上の制御チャネルを使用して、前記スケジューリング要求を送信すること
を備える、請求項１に記載の方法。
【請求項６】
前記制御チャネルは、短縮された物理アップリンク制御チャネル（ｓＰＵＣＣＨ）を備える、
請求項５に記載の方法。
【請求項７】
前記第１のデータタイプの前記識別されたデータに対応するデータサイズを決定すること、ここにおいて、前記スケジューリング要求は、前記決定されたデータサイズとバッファ閾値との間の比較に少なくとも部分的に基づく、
をさらに備える、請求項１に記載の方法。
【請求項８】
基地局から、前記基地局によって構成された前記バッファ閾値のインジケーションを受信すること
をさらに備える、請求項７に記載の方法。
【請求項９】
前記第１のデータタイプの前記識別されたデータに対応するデータサイズを決定すること、ここにおいて、前記第１のデータタイプの前記識別されたデータ、または前記ＢＳＲ、または両方を送信することは、前記決定されたデータサイズとアップリンク許可サイズとの間の比較に少なくとも部分的に基づく、
をさらに備える、請求項１に記載の方法。
【請求項１０】
前記アップリンク許可によって示されたリソースの前記セットを使用して、前記第１のデータタイプまたは前記第２のデータタイプの追加のデータの識別に少なくとも部分的に基づいてバッファステータスレポートを送信すること
をさらに備える、請求項１に記載の方法。
【請求項１１】
前記アップリンク許可によって示されたリソースの前記セットを使用して、前記第１のデータタイプまたは前記第２のデータタイプの追加のデータを送信すること
をさらに備える、請求項１に記載の方法。
【請求項１２】
前記第１のデータタイプの前記識別されたデータと、前記第１のデータタイプまたは前記第２のデータタイプの追加のデータに対応するバッファステータスレポートとを優先順位付けすること、ここにおいて、前記第１のデータタイプの前記識別されたデータと、前記第１のデータタイプまたは前記第２のデータタイプの前記追加のデータとは、前記優先順位付けに少なくとも部分的に基づいて、前記アップリンク許可によって示されたリソースの前記セットを使用して送信される、
をさらに備える、請求項１１に記載の方法。
【請求項１３】
基地局から、前記第１のデータタイプ、前記第２のデータタイプ、または両方の通信のために構成された少なくとも１つの無線ベアラを示す無線ベアラ構成を受信すること
をさらに備える、請求項１に記載の方法。
【請求項１４】
前記第１のデータタイプに関連付けられた前記リソースは、短縮された物理アップリンク共有チャネル（ｓＰＵＳＣＨ）リソースを備える、
請求項１に記載の方法。
【請求項１５】
前記第１のデータタイプに関連付けられた前記リソースは、短縮された物理アップリンク制御チャネル（ｓＰＵＣＣＨ）リソースを備える、
請求項１に記載の方法。
【請求項１６】
前記第１のデータタイプに関連付けられた前記リソースと、前記第２のデータタイプに関連付けられリソースとは、異なるニューメロロジに関連付けられる、
請求項１に記載の方法。
【請求項１７】
前記第１のデータタイプは、低レイテンシ通信に関連付けられる、
請求項１に記載の方法。
【請求項１８】
ワイヤレス通信のための方法であって、
ユーザ機器（ＵＥ）から、第１のデータタイプに関連付けられたリソースの許可のためのスケジューリング要求を受信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定することと、
前記ＵＥに、リソースの前記決定されたセットを示すアップリンク許可を送信することと
を備える、方法。
【請求項１９】
前記ＵＥから、リソースの前記決定されたセットを介して前記第１のデータタイプのデータを受信すること
をさらに備える、請求項１８に記載の方法。
【請求項２０】
リソースの前記決定されたセットを介して、前記第１のデータタイプまたは前記第２のデータタイプの追加のデータのためのバッファステータスレポートを受信すること
をさらに備える、請求項１９に記載の方法。
【請求項２１】
前記スケジューリング要求を受信することは、
前記第２のデータタイプの制御チャネルに関連付けられたＴＴＩを介して、前記スケジューリング要求を受信すること
を備える、請求項１８に記載の方法。
【請求項２２】
前記スケジューリング要求は、前記第１のデータタイプに関連付けられた短縮されたＴＴＩ（ｓＴＴＩ）を示す、
請求項２１に記載の方法。
【請求項２３】
前記制御チャネルは、物理アップリンク制御チャネル（ＰＵＣＣＨ）を備える、
請求項２１に記載の方法。
【請求項２４】
前記スケジューリング要求を受信することは、
短縮されたＴＴＩ（ｓＴＴＩ）上の制御チャネルを介して、前記スケジューリング要求を受信すること
を備える、請求項１８に記載の方法。
【請求項２５】
前記制御チャネルは、短縮された物理アップリンク制御チャネル（ｓＰＵＣＣＨ）を備える、
請求項２４に記載の方法。
【請求項２６】
前記ＵＥと基地局との両方に知られているバッファ閾値に少なくとも部分的に基づいて、アップリンク許可サイズを決定すること、ここにおいて、前記アップリンク許可は、前記アップリンク許可サイズを示す、
をさらに備える、請求項１８に記載の方法。
【請求項２７】
前記アップリンク許可サイズは、前記アップリンク許可に含まれるビット数を示す、
請求項２６に記載の方法。
【請求項２８】
前記ＵＥに、バッファ閾値のインジケーションを送信すること、ここにおいて、前記スケジューリング要求は、前記バッファ閾値に少なくとも部分的に基づく、
をさらに備える、請求項１８に記載の方法。
【請求項２９】
前記ＵＥに、前記第１のデータタイプ、前記第２のデータタイプ、または両方の通信のために構成された少なくとも１つの無線ベアラを示す無線ベアラ構成を送信すること
をさらに備える、請求項１８に記載の方法。
【請求項３０】
リソースの前記決定されたセットは、短縮された物理アップリンク共有チャネル（ｓＰＵＳＣＨ）リソースを備える、
請求項１８に記載の方法。
【請求項３１】
リソースの前記決定されたセットは、短縮された物理アップリンク制御チャネル（ｓＰＵＣＣＨ）リソースを備える、
請求項１８に記載の方法。
【請求項３２】
前記第１のデータタイプに関連付けられた前記リソースと、前記第２のデータタイプに関連付けられリソースとは、異なるニューメロロジに関連付けられる、
請求項１８に記載の方法。
【請求項３３】
前記第１のデータタイプは、低レイテンシ通信に関連付けられる、請求項１８に記載の方法。
【請求項３４】
ワイヤレス通信のための装置であって、
プロセッサと、
前記プロセッサと電子通信するメモリと、
前記メモリに記憶されており、前記プロセッサによって実行されると、前記装置に、
第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、またはバッファステータスレポート（ＢＳＲ）、または両方を送信することと
を行わせるように動作可能な命令と
を備える、装置。
【請求項３５】
ワイヤレス通信のための装置であって、
プロセッサと、
前記プロセッサと電子通信するメモリと、
前記メモリに記憶されており、前記プロセッサによって実行されると、前記装置に、
ユーザ機器（ＵＥ）から、第１のデータタイプに関連付けられたリソースの許可のためのスケジューリング要求を受信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定することと、
前記ＵＥに、リソースの前記決定されたセットを示すアップリンク許可を送信することと
を行わせるように動作可能な命令と
を備える、装置。
【請求項３６】
システムにおけるワイヤレス通信のための装置であって、
第１のデータタイプのデータを識別するための手段と、
前記第１のデータタイプに関連付けられたリソースの許可のためのスケジューリング要求を送信するための手段と、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信するための手段と、
前記アップリンク許可によって示されたリソースの前記セットを使用して、前記第１のデータタイプの前記識別されたデータ、またはバッファステータスレポート（ＢＳＲ）、または両方を送信するための手段と
を備える、装置。
【請求項３７】
前記第２のデータタイプの制御チャネルに関連付けられたＴＴＩを使用して、前記スケジューリング要求を送信するための手段
をさらに備える、請求項３６に記載の装置。
【請求項３８】
前記スケジューリング要求は、前記第１のデータタイプに関連付けられた短縮されたＴＴＩ（ｓＴＴＩ）を示す、
請求項３７に記載の装置。
【請求項３９】
前記制御チャネルは、物理アップリンク制御チャネル（ＰＵＣＣＨ）を備える、
請求項３７に記載の装置。
【請求項４０】
短縮されたＴＴＩ（ｓＴＴＩ）上の制御チャネルを使用して、前記スケジューリング要求を送信するための手段
をさらに備える、請求項３６に記載の装置。
【請求項４１】
前記制御チャネルは、短縮された物理アップリンク制御チャネル（ｓＰＵＣＣＨ）を備える、請求項４０に記載の装置。
【請求項４２】
前記第１のデータタイプの前記識別されたデータに対応するデータサイズを決定するための手段、ここにおいて、前記スケジューリング要求は、前記決定されたデータサイズとバッファ閾値との間の比較に少なくとも部分的に基づく、
をさらに備える、請求項３６に記載の装置。
【請求項４３】
基地局から、前記基地局によって構成された前記バッファ閾値のインジケーションを受信するための手段を
さらに備える、請求項４２に記載の装置。
【請求項４４】
前記第１のデータタイプの前記識別されたデータに対応するデータサイズを決定するための手段、ここにおいて、前記第１のデータタイプの前記識別されたデータ、または前記ＢＳＲ、または両方を送信することは、前記決定されたデータサイズとアップリンク許可サイズとの間の比較に少なくとも部分的に基づく、
をさらに備える、請求項３６に記載の装置。
【請求項４５】
前記アップリンク許可によって示されたリソースの前記セットを使用して、前記第１のデータタイプまたは前記第２のデータタイプの追加のデータの識別に少なくとも部分的に基づいてバッファステータスレポートを送信するための手段
をさらに備える、請求項３６に記載の装置。
【請求項４６】
前記アップリンク許可によって示されたリソースの前記セットを使用して、前記第１のデータタイプまたは前記第２のデータタイプの追加のデータを送信するための手段
をさらに備える、請求項３６に記載の装置。
【請求項４７】
前記第１のデータタイプの前記識別されたデータと、前記第１のデータタイプまたは前記第２のデータタイプの追加のデータに対応するバッファステータスレポートとを優先順位付けするための手段、ここにおいて、前記第１のデータタイプの前記識別されたデータと、前記第１のデータタイプまたは前記第２のデータタイプの前記追加のデータとは、前記優先順位付けに少なくとも部分的に基づいて、前記アップリンク許可によって示されたリソースの前記セットを使用して送信される、
をさらに備える、請求項４６に記載の装置。
【請求項４８】
基地局から、前記第１のデータタイプ、前記第２のデータタイプ、または両方の通信のために構成された少なくとも１つの無線ベアラを示す無線ベアラ構成を受信するための手段
をさらに備える、請求項３６に記載の装置。
【請求項４９】
前記第１のデータタイプに関連付けられた前記リソースは、短縮された物理アップリンク共有チャネル（ｓＰＵＳＣＨ）リソースを備える、
請求項３６に記載の装置。
【請求項５０】
前記第１のデータタイプに関連付けられた前記リソースは、短縮された物理アップリンク制御チャネル（ｓＰＵＣＣＨ）リソースを備える、
請求項３６に記載の装置。
【請求項５１】
前記第１のデータタイプは、低レイテンシ通信に関連付けられる、
請求項３６に記載の装置。
【請求項５２】
前記装置は、前記アップリンク許可を受信するための手段を備える受信機を備える、請求項３６に記載の装置。
【請求項５３】
前記装置は、前記スケジューリング要求を送信するための手段と、前記第１のデータタイプの前記識別されたデータ、またはバッファステータスレポート（ＢＳＲ）、または両方を送信するための手段とを備える送信機を備える、請求項３６に記載の装置。
【請求項５４】
システムにおけるワイヤレス通信のための装置であって、
ユーザ機器（ＵＥ）から、第１のデータタイプに関連付けられたリソースの許可のためのスケジューリング要求を受信するための手段と、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定するための手段と、
前記ＵＥに、リソースの前記決定されたセットを示すアップリンク許可を送信するための手段と
を備える、装置。
【請求項５５】
前記ＵＥから、リソースの前記決定されたセットを介して前記第１のデータタイプのデータを受信するための手段
をさらに備える、請求項５４に記載の装置。
【請求項５６】
リソースの前記決定されたセットを介して、前記第１のデータタイプまたは前記第２のデータタイプの追加のデータのためのバッファステータスレポートを受信するための手段
をさらに備える、請求項５５に記載の装置。
【請求項５７】
前記第２のデータタイプの制御チャネルに関連付けられたＴＴＩを介して、前記スケジューリング要求を受信するための手段
をさらに備える、請求項５４に記載の装置。
【請求項５８】
前記スケジューリング要求は、前記第１のデータタイプに関連付けられた短縮されたＴＴＩ（ｓＴＴＩ）を示す、
請求項５７に記載の装置。
【請求項５９】
前記制御チャネルは、物理アップリンク制御チャネル（ＰＵＣＣＨ）を備える、
請求項５７に記載の装置。
【請求項６０】
短縮されたＴＴＩ（ｓＴＴＩ）上の制御チャネルを介して、前記スケジューリング要求を受信するための手段
をさらに備える、請求項５４に記載の装置。
【請求項６１】
前記制御チャネルは、短縮された物理アップリンク制御チャネル（ｓＰＵＣＣＨ）を備える、
請求項６０に記載の装置。
【請求項６２】
前記ＵＥと基地局との両方に知られているバッファ閾値に少なくとも部分的に基づいて、アップリンク許可サイズを決定するための手段、ここにおいて、前記アップリンク許可は、前記アップリンク許可サイズを示す、
をさらに備える、請求項５４に記載の装置。
【請求項６３】
前記アップリンク許可サイズは、前記アップリンク許可に含まれるビット数を示す、
請求項６２に記載の装置。
【請求項６４】
前記ＵＥに、バッファ閾値のインジケーションを送信するための手段、ここにおいて、前記スケジューリング要求は、前記バッファ閾値に少なくとも部分的に基づく、
をさらに備える、請求項５４に記載の装置。
【請求項６５】
前記ＵＥに、前記第１のデータタイプ、前記第２のデータタイプ、または両方の通信のために構成された少なくとも１つの無線ベアラを示す無線ベアラ構成を送信するための手段
をさらに備える、請求項５４に記載の装置。
【請求項６６】
リソースの前記決定されたセットは、短縮された物理アップリンク共有チャネル（ｓＰＵＳＣＨ）リソースを備える、
請求項５４に記載の装置。
【請求項６７】
リソースの前記決定されたセットは、短縮された物理アップリンク制御チャネル（ｓＰＵＣＣＨ）リソースを備える、
請求項５４に記載の装置。
【請求項６８】
前記第１のデータタイプは、低レイテンシ通信に関連付けられる、
請求項５４に記載の装置。
【請求項６９】
前記装置は、前記スケジューリング要求を受信するための手段を備える受信機を備える、請求項５４に記載の装置。
【請求項７０】
前記装置は、前記アップリンク許可を送信するための手段を備える送信機を備える、請求項５４に記載の装置。
【請求項７１】
ワイヤレス通信のためのコードを記憶する非一時的コンピュータ可読媒体であって、前記コードは、
第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、またはバッファステータスレポート（ＢＳＲ）、または両方を送信することと
を行うようにプロセッサによって実行可能な命令を備える、非一時的コンピュータ可読媒体。
【請求項７２】
ワイヤレス通信のためのコードを記憶する非一時的コンピュータ可読媒体であって、前記コードは、
ユーザ機器（ＵＥ）から、第１のデータタイプに関連付けられたリソースの許可のためのスケジューリング要求を受信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定することと、
前記ＵＥに、リソースの前記決定されたセットを示すアップリンク許可を送信することと
を行うようにプロセッサによって実行可能な命令を備える、非一時的コンピュータ可読媒体。
【発明の詳細な説明】
【相互参照】
【０００１】
[0001]  本特許出願は、２０１８年３月２２日付けで出願された「Scheduling Requests And Buffer Status Reports For Low Latency Wireless Communications」と題された、Liu et alによる米国特許出願第１５／９３３，１２９号、および２０１７年３月２４日付けで出願された「Scheduling Requests And Buffer Status Reports For Low Latency Wireless Communications」と題された、Liu et alによる米国仮特許出願第６２／４７６，３８９号への優先権を主張し、その各々は、本願の譲受人に譲渡されている。
【技術分野】
【０００２】
[0002]  以下は、一般に、ワイヤレス通信に関し、より具体的には、低レイテンシワイヤレス通信（low latency wireless communications）のためのスケジューリング要求（ＳＲ：scheduling requests）およびバッファステータスレポート（ＢＳＲ：buffer status reports）に関する。
【０００３】
[0003]  ワイヤレス通信システムは、音声、映像、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって複数の（multiple）ユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム、または新規の無線（ＮＲ：New Radio）システム）を含む。ワイヤレス多元接続通信システムは、いくつかの（a number of）基地局またはアクセスネットワークノードを含み得、別名ユーザ機器（ＵＥ）として知られ得る複数の通信デバイスのための通信を各々が同時にサポートする。
【０００４】
[0004]  いくつかのワイヤレス通信システム（例えば、ＬＴＥまたはＮＲ展開）中の基地局は、他の通信システムでは、ＴＴＩに関して長さが変化し得る、異なる長さの送信時間間隔（ＴＴＩ）を使用して、ＵＥへと送信し得る。例えば、ＮＲシステムにおけるＴＴＩは、ＬＴＥシステムにおけるＴＴＩよりも短い持続期間を有し得る。このようなより短い持続期間ＴＴＩは、短縮されたＴＴＩ（ｓＴＴＩ：shortened TTI）と呼ばれ得、低レイテンシ通信をサポートするためにＵＥ（または他のデバイス）によって利用され得る。ｓＴＴＩは、ＴＴＩのサブフレームに対応する１つまたは複数のサブフレームのサブセットであり得る。基地局は、ｓＴＴＩ送信のために使用されるべき時間リソース（例えば、サブフレーム）、周波数リソース（例えば、サブキャリア）、および１つまたは複数のコンポーネントキャリア（ＣＣ：component carriers）を含み得る、ｓＴＴＩのための送信リソースをＵＥに割り振り得る。
【０００５】
[0005]  いくつかのワイヤレス通信システムでは、ＵＥは、ＢＳＲを送ることによって、送信すべきアップリンクデータを有していることを基地局に示し得る。しかしながら、ＢＳＲを送信するために十分なアップリンクリソースが（少なくとも所与の時間）利用できない場合、ＵＥは、ＢＳＲを送信するためのリソースの許可（grant）を要求するＳＲを送信し得る。いくつかの態様（例えば、低レイテンシアプリケーション）では、このようなシグナリングは、不要なオーバーヘッドや低下したシステムパフォーマンスをもたらし得る。
【発明の概要】
【０００６】
[0006]  説明される技法は、低レイテンシワイヤレス通信のためのスケジューリング要求（ＳＲ）およびバッファステータスレポート（ＢＳＲ）をサポートする、改善された方法、システム、デバイス、または装置に関する。基地局は、ＵＥにおける保留データ（pending data）の送信のためのアップリンクリソースを示す、ユーザ機器（ＵＥ）への許可を送信し得る。アップリンクリソースは、送信時間間隔（ＴＴＩ）および／または短縮されたＴＴＩ（ｓＴＴＩ）に関連付けられたアップリンクリソースを含み得る。ＵＥは、データタイプ（例えば、低レイテンシデータ、インターネットトラフィック、音声通信など）に関連付けられた保留データを識別し、アップリンクリソースの許可のためのＳＲを送信し得る。保留データのデータタイプ（例えば、バッファステータスに関連付けられた論理チャネルグループ識別（ＬＣＧ ＩＤ））は、（例えば、バッファステータスレポート（ＢＳＲ）往復時間から発生する）レイテンシを低減するためにアップリンクリソースがＵＥに許可され得るように（例えば、基地局に）示され得る。いくつかの態様では、ＳＲは、ｓＴＴＩに関連付けられたアップリンクリソースを示し得る。さらに、ＵＥは、保留データと、受信された許可内の他のデータに関連付けられたＢＳＲとを優先順位付けし（prioritize）得る。
【０００７】
[0007]  いくつかの例では、ＳＲは、許可がＢＳＲ送信に必要とされているか否かを示す、オン／オフ情報ビットを含んでいる信号を含み得る。本明細書で説明される技法によると、（例えば、１ｍｓの持続期間を有するＴＴＩ上の（over））物理アップリンク制御チャネル（ＰＵＣＣＨ）リソース上の(on)ＳＲ送信は、ｓＴＴＩの明確なインジケーションまたはｓＴＴＩのための要求を含むように修正され得る。代替的に、短縮されたＰＵＣＣＨ（ｓＰＵＣＣＨ）リソースは、保留データの送信のために１つまたは複数のｓＴＴＩを暗黙的に要求するために、ＳＲおよび／またはＢＳＲ（例えば、短縮されたＳＲ（ｓＳＲ）およびまたは短縮されたＢＳＲ（ｓＢＳＲ））の送信のために使用され得る。すなわち、ｓＳＲおよび／またはｓＢＳＲの送信は、低レイテンシアップリンクトラフィックの存在を示し得、かつ（and）（例えば、ＴＴＩ許可と比較して）アップリンクトラフィックに関するｓＴＴＩ許可のための要求をさらに示し得る。このような態様では、基地局は、１つまたは複数のｓＴＴＩを、およびいくつかの態様では（例えば、ＵＥにおける保留データを必要とするｓＴＴＩリソースの最大量を示す）予め定められたｓＢＳＲ閾値を利用して、短縮されたＰＵＳＣＨ（例えば、ｓＰＵＳＣＨ）のための許可を送信し得る。
【０００８】
[0008]  ワイヤレス通信のための方法が説明される。方法は、第１のデータタイプのデータを識別することと、第１のデータタイプに関連付けられたリソースの許可のためのスケジューリング要求を送信することとを含み得、第１のデータタイプに関連付けられたリソースと第２のデータタイプに関連付けられたリソースとは、異なる持続期間のＴＴＩを有する。方法は、スケジューリング要求に応答して、第１のデータタイプに関連付けられたリソースのセットを示すアップリンク許可を受信することと、アップリンク許可によって示されたリソースのセットを使用して、第１のデータタイプの識別されたデータ、またはＢＳＲ、または両方を送信することとをさらに含み得る。
【０００９】
[0009]  ワイヤレス通信のための装置が説明される。装置は、第１のデータタイプのデータを識別するための手段と、第１のデータタイプに関連付けられたリソースの許可のためのスケジューリング要求を送信するための手段とを含み得、第１のデータタイプに関連付けられたリソースと第２のデータタイプに関連付けられたリソースとは、異なる持続期間のＴＴＩを有する。装置は、スケジューリング要求に応答して、第１のデータタイプに関連付けられたリソースのセットを示すアップリンク許可を受信するための手段と、アップリンク許可によって示されたリソースのセットを使用して、第１のデータタイプの識別されたデータ、またはＢＳＲ、または両方を送信するための手段とをさらに含み得る。
【００１０】
[0010]  ワイヤレス通信のための別の装置が説明される。装置は、プロセッサと、プロセッサと電子通信するメモリと、メモリに記憶された命令とを含み得る。命令は、プロセッサに、第１のデータタイプのデータを識別することと、第１のデータタイプに関連付けられたリソースの許可のためのスケジューリング要求を送信することとを行わせるように動作可能であり得、第１のデータタイプに関連付けられたリソースと第２のデータタイプに関連付けられたリソースとは、異なる持続期間のＴＴＩを有する。命令は、プロセッサに、スケジューリング要求に応答して、第１のデータタイプに関連付けられたリソースのセットを示すアップリンク許可を受信することと、アップリンク許可によって示されたリソースのセットを使用して、第１のデータタイプの識別されたデータ、またはＢＳＲ、または両方を送信することとを行わせるようにさらに動作可能であり得る。
【００１１】
[0011]  ワイヤレス通信のための非一時的コンピュータ可読媒体が説明される。非一時的コンピュータ可読媒体は、プロセッサに、第１のデータタイプのデータを識別することと、第１のデータタイプに関連付けられたリソースの許可のためのスケジューリング要求を送信することとを行わせるように動作可能な命令を含み得、第１のデータタイプに関連付けられたリソースと第２のデータタイプに関連付けられたリソースとは、異なる持続期間のＴＴＩを有する。非一時的コンピュータ可読媒体は、プロセッサに、スケジューリング要求に応答して、第１のデータタイプに関連付けられたリソースのセットを示すアップリンク許可を受信することと、アップリンク許可によって示されたリソースのセットを使用して、第１のデータタイプの識別されたデータ、またはＢＳＲ、または両方を送信することと、をさらに行わせるように動作可能な命令を含み得る。
【００１２】
[0012]  上述された方法、装置、および非一時的コンピュータ可読媒体のいくつかの例では、スケジューリング要求を送信することは、第２のデータタイプの制御チャネルに関連付けられたＴＴＩを使用して、スケジューリング要求を送信することを備える。上述された方法、装置、および非一時的コンピュータ可読媒体のいくつかの例では、スケジューリング要求は、第１のデータタイプに関連付けられたｓＴＴＩを示す。
【００１３】
[0013]  上述された方法、装置、および非一時的コンピュータ可読媒体のいくつかの例では、制御チャネルは、ＰＵＣＣＨを備える。上述された方法、装置、および非一時的コンピュータ可読媒体のいくつかの例では、スケジューリング要求を送信することは、ｓＴＴＩ上の制御チャネルを使用して、スケジューリング要求を送信することを備える。上述された方法、装置、および非一時的コンピュータ可読媒体のいくつかの例では、制御チャネルは、ｓＰＵＣＣＨを備える。
【００１４】
[0014]  上述された方法、装置、および非一時的コンピュータ可読媒体のいくつかの例は、第１のデータタイプの識別されたデータに対応するデータサイズを決定するための、処理、特徴、手段、または命令をさらに含み得、ここにおいて、スケジューリング要求は、決定されたデータサイズとバッファ閾値との間の比較に少なくとも部分的に基づき得る。
【００１５】
[0015]上述された方法、装置、および非一時的コンピュータ可読媒体のいくつかの例は、基地局から、基地局によって構成されたバッファ閾値のインジケーションを受信するための、処理、特徴、手段、または命令をさらに含み得る。上述された方法、装置、および非一時的コンピュータ可読媒体のいくつかの例は、第１のデータタイプの識別されたデータに対応するデータサイズを決定するための、処理、特徴、手段、または命令をさらに含み得、スケジューリング要求は、決定されたデータサイズとアップリンク許可サイズとの間の比較に少なくとも部分的に基づき得る。
【００１６】
[0016]  上述された方法、装置、および非一時的コンピュータ可読媒体のいくつかの例は、アップリンク許可によって示されたリソースのセットを使用して、第１のデータタイプまたは第２のデータタイプの追加のデータの識別に少なくとも部分的に基づいてバッファステータスレポートを送信するための、処理、特徴、手段、または命令をさらに含み得る。
【００１７】
[0017]  上述された方法、装置、および非一時的コンピュータ可読媒体のいくつかの例は、アップリンク許可によって示されたリソースのセットを使用して、第１のデータタイプまたは第２のデータタイプの追加のデータを送信するための、処理、特徴、手段、または命令をさらに含み得る。
【００１８】
[0018]  上述された方法、装置、および非一時的コンピュータ可読媒体のいくつかの例は、第１のデータタイプの識別されたデータと、第１のデータタイプまたは第２のデータタイプの追加のデータに対応するバッファステータスレポートとを優先順位付けするための、処理、特徴、手段、または命令をさらに含み得、第１のデータタイプの識別されたデータと、第１のデータタイプまたは第２のデータタイプの追加のデータとは、優先順位付けに少なくとも部分的に基づいて、アップリンク許可によって示されたリソースのセットを使用して送信され得る。
【００１９】
[0019]  上述された方法、装置、および非一時的コンピュータ可読媒体のいくつかの例は、基地局から、第１のデータタイプ、第２のデータタイプ、または両方の通信のために構成された少なくとも１つの無線ベアラを示す無線ベアラ構成を受信するための、処理、特徴、手段、または命令をさらに含み得る。
【００２０】
[0020]  上述された方法、装置、および非一時的コンピュータ可読媒体のいくつかの例では、第１のデータタイプに関連付けられたリソースは、ｓＰＵＳＣＨリソースを備える。上述された方法、装置、および非一時的コンピュータ可読媒体のいくつかの例では、第１のデータタイプに関連付けられたリソースは、ｓＰＵＣＣＨリソースを備える。上述された方法、装置、および非一時的コンピュータ可読媒体のいくつかの例では、第１のデータタイプに関連付けられたリソースと、第２のデータタイプに関連付けられリソースとは、異なるニューメロロジに関連付けられる。上述された方法、装置、および非一時的コンピュータ可読媒体のいくつかの例では、第１のデータタイプは、低レイテンシ通信に関連付けられ得る。
【００２１】
[0021]  ワイヤレス通信のための方法が説明される。方法は、ＵＥから、第１のデータタイプに関連付けられたリソースの許可のためのスケジューリング要求を受信することを含み得、第１のデータタイプに関連付けられたリソースと第２のデータタイプに関連付けられたリソースとは、異なる持続期間のＴＴＩを有する。方法は、スケジューリング要求に応答して、第１のデータタイプに関連付けられたリソースのセットを決定することと、ＵＥに、リソースの決定されたセットを示すアップリンク許可を送信することとをさらに含み得る。
【００２２】
[0022]  ワイヤレス通信のための装置が説明される。装置は、ＵＥから、第１のデータタイプに関連付けられたリソースの許可のためのスケジューリング要求を受信するための手段を含み得、第１のデータタイプに関連付けられたリソースと第２のデータタイプに関連付けられたリソースとは、異なる持続期間のＴＴＩを有する。装置は、スケジューリング要求に応答して、第１のデータタイプに関連付けられたリソースのセットを決定するための手段と、ＵＥに、リソースの決定されたセットを示すアップリンク許可を送信するための手段とをさらに含み得る。
【００２３】
[0023]  ワイヤレス通信のための別の装置が説明される。装置は、プロセッサと、プロセッサと電子通信するメモリと、メモリに記憶された命令とを含み得る。命令は、プロセッサに、ＵＥから、第１のデータタイプに関連付けられたリソースの許可のためのスケジューリング要求を受信することと、ここにおいて、第１のデータタイプに関連付けられたリソースと第２のデータタイプに関連付けられたリソースとは、異なる持続期間のＴＴＩを有し、スケジューリング要求に応答して、第１のデータタイプに関連付けられたリソースのセットを決定することと、ＵＥに、リソースの決定されたセットを示すアップリンク許可を送信することとを行わせるように動作可能であり得る。
【００２４】
[0024]  ワイヤレス通信のための非一時的コンピュータ可読媒体が説明される。非一時的コンピュータ可読媒体は、プロセッサに、ＵＥから、第１のデータタイプに関連付けられたリソースの許可のためのスケジューリング要求を受信することと、ここにおいて、第１のデータタイプに関連付けられたリソースと第２のデータタイプに関連付けられたリソースとは、異なる持続期間のＴＴＩを有し、スケジューリング要求に応答して、第１のデータタイプに関連付けられたリソースのセットを決定することと、ＵＥに、リソースの決定されたセットを示すアップリンク許可を送信することとを行わせるように動作可能な命令を含み得る。
【００２５】
[0025]  上述された方法、装置、および非一時的コンピュータ可読媒体のいくつかの例は、ＵＥから、リソースの決定されたセットを介して第１のデータタイプのデータを受信するための、処理、特徴、手段、または命令をさらに含み得る。上述された方法、装置、および非一時的コンピュータ可読媒体のいくつかの例は、リソースの決定されたセットを介して、第１のデータタイプまたは第２のデータタイプの追加のデータのためのバッファステータスレポートを受信するための、処理、特徴、手段、または命令をさらに含み得る。
【００２６】
[0026]  上述された方法、装置、および非一時的コンピュータ可読媒体のいくつかの例では、スケジューリング要求を受信することは、第２のデータタイプの制御チャネルに関連付けられたＴＴＩを介して、スケジューリング要求を受信することを備える。上述された方法、装置、および非一時的コンピュータ可読媒体のいくつかの例では、スケジューリング要求は、第１のデータタイプに関連付けられたｓＴＴＩを示す。
【００２７】
[0027]  上述された方法、装置、および非一時的コンピュータ可読媒体のいくつかの例では、制御チャネルは、ＰＵＣＣＨを備える。上述された方法、装置、および非一時的コンピュータ可読媒体のいくつかの例では、スケジューリング要求を受信することは、ｓＴＴＩ上の制御チャネルを介してスケジューリング要求を受信することを備える。上述された方法、装置、および非一時的コンピュータ可読媒体のいくつかの例では、制御チャネルは、ｓＰＵＣＣＨを備える。
【００２８】
[0028]  上述された方法、装置、および非一時的コンピュータ可読媒体のいくつかの例は、ＵＥと基地局との両方に知られ得るバッファ閾値に少なくとも部分的に基づいて、アップリンク許可サイズを決定するための、処理、特徴、手段、または命令をさらに含み得、アップリンク許可は、アップリンク許可サイズを示す。上述された方法、装置、および非一時的コンピュータ可読媒体のいくつかの例では、アップリンク許可サイズは、アップリンク許可に含まれるビット数を示す。
【００２９】
[0029]  上述された方法、装置、および非一時的コンピュータ可読媒体のいくつかの例は、ＵＥに、バッファ閾値のインジケーションを送信するための、処理、特徴、手段、または命令をさらに含み得、スケジューリング要求は、バッファ閾値に少なくとも部分的に基づき得る。
【００３０】
[0030]  上述された方法、装置、および非一時的コンピュータ可読媒体のいくつかの例は、ＵＥに、第１のデータタイプ、第２のデータタイプ、または両方の通信のために構成された少なくとも１つの無線ベアラを示す無線ベアラ構成を送信するための、処理、特徴、手段、または命令をさらに含み得る。
【００３１】
[0031]  上述された方法、装置、および非一時的コンピュータ可読媒体のいくつかの例では、リソースの決定されたセットは、ｓＰＵＳＣＨリソースを備える。上述された方法、装置、および非一時的コンピュータ可読媒体のいくつかの例では、第１のデータタイプは、低レイテンシ通信に関連付けられ得る。
【図面の簡単な説明】
【００３２】
【図１】[0032]  図１は、本開示の態様にしたがった、低レイテンシワイヤレス通信のためのスケジューリング要求およびバッファステータスレポートをサポートする、ワイヤレス通信のためのシステムの例を図示する。
【図２】[0033]  図２は、本開示の態様にしたがった、低レイテンシワイヤレス通信のためのスケジューリング要求およびバッファステータスレポートをサポートする、ワイヤレス通信システムの例を図示する。
【図３】[0034]  図３は、本開示の態様にしたがった、低レイテンシワイヤレス通信のためのスケジューリング要求およびバッファステータスレポートをサポートする、バッファステータスレポートフォーマットの例を図示する。
【図４】[0035]  図４は、本開示の態様にしたがった、低レイテンシワイヤレス通信のためのスケジューリング要求およびバッファステータスレポートをサポートする、処理フローの例を図示する。
【図５】[0036]  図５は、本開示の態様にしたがった、低レイテンシワイヤレス通信のためのスケジューリング要求およびバッファステータスレポートをサポートする、デバイスのブロック図を示す。
【図６】図６は、本開示の態様にしたがった、低レイテンシワイヤレス通信のためのスケジューリング要求およびバッファステータスレポートをサポートする、デバイスのブロック図を示す。
【図７】図７は、本開示の態様にしたがった、低レイテンシワイヤレス通信のためのスケジューリング要求およびバッファステータスレポートをサポートする、デバイスのブロック図を示す。
【図８】[0037]  図８は、本開示の態様にしたがった、低レイテンシワイヤレス通信のためのスケジューリング要求およびバッファステータスレポートをサポートする、ユーザ機器（ＵＥ）を含むシステムのブロック図を図示する。
【図９】[0038]  図９は、本開示の態様にしたがった、低レイテンシワイヤレス通信のためのスケジューリング要求およびバッファステータスレポートをサポートする、デバイスのブロック図を示す。
【図１０】図１０は、本開示の態様にしたがった、低レイテンシワイヤレス通信のためのスケジューリング要求およびバッファステータスレポートをサポートする、デバイスのブロック図を示す。
【図１１】図１１は、本開示の態様にしたがった、低レイテンシワイヤレス通信のためのスケジューリング要求およびバッファステータスレポートをサポートする、デバイスのブロック図を示す。
【図１２】[0039]  図１２は、本開示の態様にしたがった、低レイテンシワイヤレス通信のためのスケジューリング要求およびバッファステータスレポートをサポートする、基地局を含むシステムのブロック図を図示する。
【図１３】[0040]  図１３は、本開示の態様にしたがった、低レイテンシワイヤレス通信のためのスケジューリング要求およびバッファステータスレポートのための方法を図示する。
【図１４】図１４は、本開示の態様にしたがった、低レイテンシワイヤレス通信のためのスケジューリング要求およびバッファステータスレポートのための方法を図示する。
【図１５】図１５は、本開示の態様にしたがった、低レイテンシワイヤレス通信のためのスケジューリング要求およびバッファステータスレポートのための方法を図示する。
【詳細な説明】
【００３３】
[0041]  基地局は、ＵＥにおける保留データの送信のためのアップリンクリソースを示す、ユーザ機器（ＵＥ）への許可を送信し得る。アップリンクリソースは、送信時間間隔（ＴＴＩ）および／または短縮されたＴＴＩ（ｓＴＴＩ）に関連付けられたアップリンクリソースを含み得る。ＵＥは、データタイプ（例えば、低レイテンシデータ、インターネットトラフィックなど）に関連付けられた保留データを識別し、アップリンクリソースの許可のためのスケジューリング要求（ＳＲ）を送信し得る。以下にさらに説明されるように、保留データのデータタイプ（例えば、バッファステータスに関連付けられた論理チャネルグループ識別（ＬＣＧ ＩＤ））は、低レイテンシ通信のための（例えば、バッファステータスレポート（ＢＳＲ）往復時間から発生する（arising from））レイテンシを低減するためにアップリンクリソースがＵＥに許可され得るように示され得る。
【００３４】
[0042]  ＢＳＲ送信の往復時間に関連付けられたレイテンシは、短縮された（ｓＢＳＲ）閾値を介して低減され得る。例えば、ｓＢＳＲ閾値は、ＬＣＧ ＩＤに関連付けられた予め定められた（predefined）バッファサイズとして構成され得る。いくつかの態様では、（例えば、ｓＴＴＩが保留データの送信に適する（appropriate for）ように）ＬＣＧ ＩＤバッファサイズのバッファサイズが閾値を下回る場合、基地局は、ｓＢＳＲ閾値にしたがった許可をサイジングし（size the grant）得る。このような態様では、ｓＢＳＲ閾値サイズの許可（sBSR threshold sized grant）は、その許可が保留データを処理する（handle）のに十分な大きさであることを保証し得る（例えば、ｓＢＳＲ閾値は、ｓＴＴＩ使用から利益を享受するのに十分な小ささのＬＣＧ ＩＤバッファサイズを収容（accommodate）し得る、ｓＴＴＩに関連付けられた最大の許可サイズに類似し得る）。この例では、ｓＢＳＲは、全く送信されない可能性がある（may not）（例えば、ｓＴＴＩが保留データに適しているときにｓＢＳＲ閾値サイズの許可が常に使用される際に（as）、ＢＳＲ送信のための往復時間が削減され得る）。
【００３５】
[0043]  代替的に、ｓＢＳＲまたはＢＳＲの何れかの使用は、ｓＢＳＲ閾値サイズの許可が要求され得るか、または（or）ＢＳＲによって示されたサイズの許可が要求され得るかを示すために使用され得る。いくつかの態様では、基地局は、ｓＢＳＲをトリガするために、いくつかのベアラ、トラフィックフロー、ＬＣＧ ＩＤなどを可能にするようにＵＥを（例えば、制御メッセージを介して）構成し得る。ＬＣＧ ＩＤのバッファサイズが（例えば、基地局によって構成された）ｓＢＳＲ閾値を上回る場合、大きいペイロードに関してＴＴＩがより効率的であり得る際に（as）、通常のＢＳＲ送信プロシージャが使用され得る。ＬＣＧ ＩＤのバッファサイズがｓＢＳＲ閾値を下回る場合、低レイテンシｓＢＳＲが使用され得る（例えば、ＢＳＲは、例えばｓＰＵＳＣＨなどのｓＴＴＩ上で送られ得る）。ｓＢＳＲ閾値サイズの許可がｓＢＳＲ送信に応答して使用される態様では、ＢＳＲ送信に関連付けられた往復時間は、ｓＢＳＲ閾値のサイズとして設定されている結果としてもたらされた（the resulting）許可のために、さらに（still）低減される。
【００３６】
[0044]  いくつかの例では、ＳＲは、許可がＢＳＲ送信に必要とされているか否かを示す、オン／オフ情報ビットを含んでいる信号を含み得る。本明細書で説明される技法によると、ＳＲは、物理アップリンク制御チャネル（ＰＵＣＣＨ）リソースを使用して（例えば、１ｍｓの持続期間を有するＴＴＩを介して）送信され得る。ＳＲは、（例えば、オン−オフ情報ビットを使用して）ｓＴＴＩの明確なインジケーションまたはｓＴＴＩのための要求を含むように修正され得る。代替的に、ＳＲおよび／またはＢＳＲ送信は、保留データの送信のために１つまたは複数のｓＴＴＩを暗黙的に要求し得る。例えば、ＳＲまたはＢＳＲは、低レイテンシアップリンクトラフィックの存在を示し得る１つまたは複数のｓＴＴＩ上で（例えば、短縮されたＰＵＣＣＨ（ｓＰＵＣＣＨ）リソースを介して）送信され得る。このようなインジケーションは、（例えば、ＴＴＩ許可よりもむしろ）アップリンクトラフィックに関するｓＴＴＩリソースのための許可を要求するために使用され得る。このような態様では、基地局は、ｓＴＴＩにしたがって、短縮されたＰＵＳＣＨ（ｓＰＵＳＣＨ）のための許可を送信し得る。
【００３７】
[0045]  本開示の態様は初めに、ワイヤレス通信システムのコンテキストで説明される。低レイテンシワイヤレス通信のための改善されたＳＲおよびＢＳＲをサポートする、例となるＢＳＲフォーマットおよび処理フローが次に説明される。本開示の態様は、低レイテンシワイヤレス通信のためのスケジューリング要求およびバッファステータスレポートに関する、装置図、システム図、およびフローチャートによって図示され、それらを参照してさらに説明される。
【００３８】
[0046]  図１は、本開示の様々な態様にしたがった、ワイヤレス通信システム１００の例を図示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）（またはＬＴＥ−Ａｄｖａｎｃｅｄ（ＬＴＥ−Ａ）ネットワーク、または新規の無線（ＮＲ）システムであり得る。いくつかの態様では、ワイヤレス通信システム１００は、発展型（enhanced）ブロードバンド通信、高信頼性（すなわち、ミッションクリティカルな）通信、超低レイテンシ（ＵＬＬ）通信などをサポートし得る。基地局１０５とＵＥ１１５との間の送信は、本明細書で説明されるような技法にしたがった、低レイテンシ通信に関連付けられたｓＴＴＩを使用し得る。
【００３９】
[0047]  基地局１０５は、１つまたは複数の基地局アンテナを介してＵＥ１１５とワイヤレスに通信し得る。各基地局１０５は、それぞれの地理的なカバレッジエリア１１０に対して通信カバレッジを提供し得る。ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。制御情報およびデータは、様々な技法にしたがって、アップリンクチャネルまたはダウンリンク上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。
【００４０】
[0048]  ＵＥ１１５は、ワイヤレス通信システム１００全体にわたって分散され、各ＵＥ１１５は、固定式または移動式であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、ＩｏＴ（Internet of thing）デバイス、ＩｏＥ（Internet of Everything）デバイス、マシンタイプ通信（ＭＴＣ）デバイス、電気器具、自動車、ドローン、または同様のものであり得る。
【００４１】
[0049]  いくつかの態様では、ＵＥ１１５はまた、（例えば、ピア・ツー・ピア（Ｐ２Ｐ）またはデバイス・ツー・デバイス（Ｄ２Ｄ）プロトコルを使用して）他のＵＥと直接通信することも可能であり得る。ＭＴＣまたはＩｏＴデバイスなどの、いくつかのＵＥ１１５は、低コストまたは低複雑度のデバイスであり得、マシン間の自動化された通信、すなわち、マシン・ツー・マシン（Ｍ２Ｍ）通信を提供し得る。Ｍ２ＭまたはＭＴＣは、デバイスが人間の介在なしに、互いにまたは基地局と通信することを可能にするデータ通信技術を指し得る。ＭＴＣデバイスのためのアプリケーションの例は、スマートメータリング、在庫モニタリング、水位モニタリング、機器モニタリング、ヘルスケアモニタリング、野生生物モニタリング、天候および地質学的イベントモニタリング、フリート（fleet）管理および追跡、リモートセキュリティ感知、物理アクセス制御、および取引ベースのビジネス課金（transaction-based business charging）を含む。
【００４２】
[0050]  いくつかの態様では、ＭＴＣデバイスは、低減されたピークレートでの半二重（一方向）通信を使用して動作し得る。ＭＴＣデバイスはまた、アクティブな通信に従事していないときに節電「ディープスリープ」モードに入るように構成され得る。いくつかの態様では、ＭＴＣまたはＩｏＴデバイスは、ミッションクリティカル機能をサポートするように設計され得、ワイヤレス通信システムは、これらの機能のために超高信頼性および低レイテンシ通信を提供するように構成され得る。
【００４３】
[0051]  複数の基地局１０５は、コアネットワーク１３０と、および互いに、通信し得る。例えば、基地局１０５は、バックホールリンク１３２（例えば、Ｓ１など）を通じてコアネットワーク１３０とインターフェースし得る。基地局１０５は、直接または間接的に（例えば、コアネットワーク１３０を通じて）、バックホールリンク１３４（例えば、Ｘ２など）上で互いと通信し得る。基地局１０５は、ＵＥ１１５との通信のために無線構成およびスケジューリングを行い得るか、または基地局コントローラ（図示せず）の制御下で動作し得る。いくつかの例では、基地局１０５は、マクロセル、スモールセル、ホットスポット、または同様のものであり得る。基地局１０５は、ＬＴＥ ｅＮＢ、ｅＬＴＥ ｅＮＢ、ＮＲ ｇＮＢ、ＮＲノードＢ、ＮＲアクセスノードの例であり得、アクセスノードコントローラ（ＡＮＣ）を含み得る。
【００４４】
[0052]  基地局１０５は、バックホールリンク１３２（例えば、Ｓ１、Ｓ２、ＮＧ−１、ＮＧ−２、ＮＧ−３、ＮＧ−Ｃ、ＮＧ−Ｕなど）を通じてコアネットワーク１３０とインターフェースし得、関連付けられたカバレッジエリア１１０内のＵＥ１１５との通信のために無線構成およびスケジューリングを行い得る。様々な例では、ネットワークデバイスは、直接または間接的に（例えば、コアネットワーク１３０を通じて）、ワイヤードまたはワイヤレス通信リンクであり得るバックホールリンク１３４（例えば、Ｘ１、Ｘ２、Ｘｎなど）上で互いと通信し得る。各基地局１０５はまた、いくつかの他のネットワークデバイスを通じて、いくつかのＵＥ１１５と通信し得、ここで、ネットワークデバイスは、送受信ポイント（ＴＲＰ：transmission reception point）、分散型ユニット（ＤＵ：distributed unit）、無線ヘッド（ＲＨ：radio head）、リモート無線ヘッド（ＲＲＨ：remote radio head）、またはスマート無線ヘッドの一例であり得る。
【００４５】
[0053]  いくつかの態様では、ワイヤレス通信システム１００は、ライセンスおよびアンライセンス無線周波数スペクトルバンドの両方を利用し得る。例えば、ワイヤレス通信システム１００は、ＬＴＥライセンス補助アクセス（ＬＴＥ−ＬＡＡ：LTE（登録商標） License Assisted Access）、またはＬＴＥアンライセンス（ＬＴＥ Ｕ）無線アクセス技術、または５ＧＨｚの産業用、化学用、および医療用（ＩＳＭ：Industrial, Scientific, and Medical）バンドなどのアンライセンスバンドにおいてＮＲ技術を用い得る。アンライセンス無線周波数スペクトルバンドで動作しているとき、基地局１０５およびＵＥ１１５のようなワイヤレスデバイスは、データを送信する前にチャネルがクリアであることを保証するためのリッスンビフォアトーク（ＬＢＴ：listen-before-talk）プロシージャを利用し得る。いくつかの態様では、アンライセンスバンドでの動作は、ライセンスバンドにおいて動作するコンポーネントキャリア（ＣＣ）とともに、キャリアアグリゲーション（ＣＡ）構成に基づき得る。アンライセンススペクトルでの動作は、ダウンリンク送信、アップリンク送信、または両方を含み得る。アンライセンススペクトルでの複信（duplexing）は、周波数分割複信（ＦＤＤ）、時分割複信（ＦＤＤ）、または両方の組み合わせに基づき得る。
【００４６】
[0054]  ワイヤレス通信システム１００は、複数のセルまたはキャリア上での動作をサポートし得、その特徴はＣＡまたはマルチキャリア動作と呼ばれ得る。キャリアはまた、ＣＣ、レイヤ、チャネルなどと呼ばれ得る。「キャリア」、「コンポーネントキャリア」、「セル」、および「チャネル」という用語は、本明細書で交換可能に使用され得る。ＵＥ１１５は、キャリアアグリゲーションのために、複数のダウンリンクＣＣと、１つまたは複数のアップリンクＣＣとで構成され得る。キャリアアグリゲーションは、ＦＤＤコンポーネントキャリアとＴＤＤコンポーネントキャリアとの両方で使用され得る。
【００４７】
[0055]  ＬＴＥまたはＮＲにおける時間間隔は、（ＴＳ＝１／３０，７２０，０００秒のサンプリング期間であり得る）基本時間単位の倍数で表現され得る。ＬＴＥ／ＬＴＥ−Ａにおける時間リソースは、１０ミリ秒の長さの無線フレーム（Ｔｆ＝３０７２００ＴＳ）にしたがって組織化され得、それは、０から１０２３に及ぶシステムフレーム番号（ＳＦＮ：system frame number）で識別され得る。各フレームは、０から９まで番号付けされた１０個の１ｍｓサブフレームを含み得る。サブフレームは、２つの０．５ｍｓスロットにさらに分割され得、その各々が（各シンボルに付加された（prepended）サイクリックプレフィックスの長さに依存して）６または７変調シンボル期間を含む。サイクリックプレフィックスを除いて、各シンボルは、２０４８個のサンプル期間を含む。いくつかの態様では、サブフレームは、ＴＴＩとしても知られる最小スケジューリング単位であり得る。他の時間ユニットおよびリソース構成は、本開示の範囲から逸脱することなく構成され得る。
【００４８】
[0056]  いくつかの態様では、ワイヤレス通信システム１００は、拡張コンポーネントキャリア（ｅＣＣ）を利用し得る。ｅＣＣは、より広い帯域幅、より短いシンボル持続期間、およびｓＴＴＩを含む、１つまたは複数の機能によって特徴付けられ得る。例えば、ｓＴＴＩは、サブフレームよりも短いか、または（例えば、ｓＴＴＩを使用して選択されたＣＣにおいて、またはｓＴＴＩバーストにおいて）動的に選択され得る。選択されたＣＣは、いくつかのケースでは、ＴＴＩに関連付けられたＣＣとは異なるサブキャリア間隔または異なるニューメロロジ（例えば、少なくともｓＴＴＩ長およびサブキャリア間隔に基づいて決定された物理リソースのタイプ）に関連付けられ得る。いくつかの態様では、ｅＣＣは、（例えば、複数のサービングセルが準最適バックホールリンクまたは非理想的バックホールリンクを有するとき）デュアルコネクティビティ構成またはキャリアアグリゲーション構成に関連付けられ得る。ｅＣＣはまた、（例えば、１より多くのオペレータがそのスペクトルを使用することを許可されている）共有スペクトルまたはアンライセンススペクトルで使用するために構成され得る。いくつかの態様では、ｅＣＣは、他のＣＣとは異なるシンボル持続期間を利用し得、それは、他のＣＣのシンボル持続期間と比較すると、低減されたシンボル持続期間の使用を含み得る。より短いシンボル持続期間は、増加されたサブキャリア間隔に関連付けられる。ｅＣＣを利用するＵＥ１１５または基地局１０５などのデバイスは、低減されたシンボル持続期間（例えば、１６．６７マイクロ秒）において、広帯域信号（例えば、２０、４０、６０、８０ＭＨｚなど）を送信し得る。ｅＣＣにおけるＴＴＩは、１つまたは複数のシンボルで構成され得る。いくつかの態様では、ＴＴＩ持続期間（すなわち、ＴＴＩ中のシンボルの数）は、可変であり得る。５ＧまたはＮＲキャリアは、ｅＣＣと見なされ得る。
【００４９】
[0057]  ＵＥ１１５は、保留中の（例えば、バッファされた）トラフィックをＵＥ１１５が有していることを示す、基地局１０５へのＳＲの送信をトリガし得る。そのＳＲに応答して、基地局１０５は、ＵＥ１１５にＢＳＲのための許可を送り得る。ＵＥ１１５は、送られるべき保留データの量（例えば、バッファサイズ）を示すために、基地局１０５にＢＳＲなどの送信を送り得る。基地局１０５は、ＵＥ１１５における保留データのサイズを識別し得、保留データ（例えば、バッファサイズ）に基づいてＵＥ１１５に第２の許可を送信し得る。ＵＥ１１５は次いで、ＢＳＲに応答して受信した許可のリソースにしたがって、保留データを送信し得る。
【００５０】
[0058]  いくつかの態様では、ＳＲは、ＵＥ１１５でのイベントに応答し得る。例えば、ＢＳＲにおける変更または論理チャネルグループ（ＬＣＧ）からのアップリンクデータ到着は、ＳＲをトリガし得る。いくつかの例では、ＳＲは、ＰＵＣＣＨ（例えば、ＰＵＣＣＨフォーマット１／１ａ／１ｂ）に含まれる（例えば、オン／オフ情報ビットを含む）物理（ＰＨＹ）レイヤ信号を含み得る。ＳＲは、無線リソース制御（ＲＲＣ）シグナリングを介して、周期的（例えば、１〜８０ｍｓ毎）に送られるように構成され得る。いくつかの態様では、この周期性は、オペレータごとに構成され得る。さらに、ＳＲのためのＰＵＣＣＨリソース（例えば、トーン）はまた、ＲＲＣシグナリングを介して構成され得る。
【００５１】
[0059]  ＵＥ１１５は、送信すべきアップリンクデータを有していることを決定し得、アップリンクデータのためのアップリンクリソースを取得するために（例えば、保留データのためのＰＵＳＣＨを取得するために）、基地局１０５に（例えば、送信されたＳＲに応答して受信した許可を介して）ＢＳＲを送信し得る。いくつかの態様では、ＵＥ１１５は、ＢＳＲを送信するために、以前に割り振られたＰＵＳＣＨを利用し得る。しかしながら、ＢＳＲを送信することが可能な十分なリソースは、ＵＥ１１５がそれを行う機会があるときに存在しない可能性がある。結果として、ＵＥ１１５は、上述されるように基地局１０５からのアップリンク許可を探索するＳＲ（例えば、ＢＳＲのための追加のＰＵＳＣＨ）を送り得る。ＢＳＲを受信した後、基地局１０５は、ＢＳＲに基づいてＵＥ１１５のために第２の許可の（例えば、ビット数（number of bits）での）サイズを決定し得る。第２の許可を受信すると、ＵＥ１１５は、ビット数を使用してデータを送り得る。いくつかの態様では、ＵＥ１１５が全てのビット数の許可を満たすのに十分なデータを有していない場合、残りのものは、パディングによって満たされ得る。
【００５２】
[0060]  いくつかの態様では、ＢＳＲは、ＬＣＧ識別（ＩＤ）およびバッファサイズを示す１バイトのメディアアクセス制御（ＭＡＣ）レイヤ制御要素（ＣＥ）を指し得る。論理チャネルは、トラフィックタイプ（例えば、ボイスオーバーＬＴＥ（ＶｏＬＴＥ：voice over LTE）、インターネットなど）を指し得る。１つまたは複数の論理チャネルは、ＬＣＧにグループ化され得る。例えば、ボイスおよびインターネットトラフィックは、異なるタイプの無線ベアラに関連付けられ得る。ＭＡＣレイヤにおいて、各ベアラは、ＬＣＧ ＩＤに関連付けられ得る。このように、ＵＥ１１５は、ＭＡＣレイヤＣＥ（例えば、ＢＳＲ）を介して異なるトラフィックタイプに関して別個にバッファサイズを報告し得る。よって、保留データに関連付けられた各ＬＣＧ ＩＤは、別個の情報のバイトによって示され得る。
【００５３】
[0061]  いくつかの態様では、ＵＥ１１５などの送信機は、いくつかのワイヤレス通信サービス（例えば、ＵＬＬサービス、高信頼性低レイテンシ通信（ＵＲＬＬＣ）サービスなど）の送信のために１つまたは複数のｓＴＴＩを識別し得る。ｓＴＴＩは、閾値持続期間を下回っている第１のワイヤレスサービスに関連付けられたＴＴＩの持続期間に基づいて識別され得る（例えば、１ｍｓ未満のＴＴＩ持続期間は、ｓＴＴＩとして識別され得る）。例として、１ｍｓのＴＴＩは、６個の期間（例えば、ｓＴＴＩ）に分割され得る。いくつかの態様では、ＴＴＩおよびｓＴＴＩは、時間でオーバーラップし得る。
【００５４】
[0062]  本明細書で説明される技法によると、ワイヤレス通信システム１００は、（例えば、ＵＬＬ通信に関連付けられた）アップリンクデータ送信レイテンシを低減するために、ｓＴＴＩを利用するＳＲおよびＢＳＲ送信技法をサポートし得る。
【００５５】
[0063]  ＳＲは、アップリンク制御チャネル（例えば、ＰＵＣＣＨ）を使用して送信され得る。代替的に、制御チャネルリソースがＵＥ１１５に割り振られないか、または制御チャネルがスケジューリング要求のために構成されない場合、ランダムアクセスプロシージャは、（例えば、基地局がＵＥを識別することを可能にするためにランダムシーケンスまたはプリアンブルが送信される）ＵＥ１１５によって使用され得る。ＵＥ１１５は、ネットワークとの接続および通信を確立するために、ランダムアクセスプロシージャを使用し得る。例えば、ＵＥ１１５は、基地局１０５とのデータ転送を開始するために、それがランダムアクセスプロシージャを送るおよび使用するためのデータを有することを決定し得る。いくつかの態様では、１つまたは複数のＵＥ１１５は、データを送るためのリソースを探索し、その後、基地局にランダムアクセスシーケンスまたはプリアンブルを送信し得る。基地局１０５は、１つまたは複数のＵＥ１１５からランダムアクセスシーケンス送信を検出し、通信のためのリソースを割り当て得る。ランダムアクセスメッセージ送信は、基地局１０５から受信した同期信号に基づき得る。例えば、基地局からの同期シンボルの送信は、ランダムアクセスメッセージを送るためのタイミングおよび／または周波リソースを識別するために、ＵＥ１１５によって使用され得る。
【００５６】
[0064]  図２は、本開示の様々な態様にしたがった、低レイテンシワイヤレス通信のためのＳＲおよびＢＳＲをサポートするワイヤレス通信システム２００の例を図示する。ワイヤレス通信システム２００は、基地局１０５−ａおよびＵＥ１１５−ａを含み、それは、図１に関連して上述されるような、ＵＥ１１５の態様の例であり得る。図２の例では、ワイヤレス通信システム２００は、本明細書で説明されるような技法にしたがった、低レイテンシ通信に関連付けられたｓＴＴＩを利用する動作をサポートし得るが、このような技法は、他の通信タイプ、ＴＴＩ長、アップリンクチャネルタイプなどに適用され得る。
【００５７】
[0065]  いくつかの態様によると、ＵＥ１１５−ａは、データタイプ（例えば、低レイテンシデータ、インターネットトラフィックなど）に関連付けられた保留データを識別し、アップリンクリソース２１０の許可２０５のためのＳＲを送信し得る。これに応答して、基地局１０５−ａは、ＵＥ１１５−ａにおいて保留データの送信のためのアップリンクリソース２１０を示す、ＵＥ１１５−ａへの許可２０５を送信し得る。図示されるように、アップリンクリソース２１０は、ｓＴＴＩリソース２１０−ａとＴＴＩリソース２１０−ｂとを含み得る。いくつかのケースでは、ｓＴＴＩリソース２１０−ａおよびＴＴＩリソース２１０−ｂは、異なる時間リソース（例えば、サブフレームニューメロロジ、ＴＴＩまたはサブフレーム長など）、（例えば、サブキャリア間隔（spacing）、サブキャリアニューメロロジなどの）周波数リソース、または両方に関連付けられ得る。例えば、ＴＴＩリソース２１０−ｂは、ＴＴＩ長および第１のサブキャリア間隔によって定義されたニューメロロジに関連付けられ得、一方、ｓＴＴＩリソース２１０−ａは、ｓＴＴＩ長および第２のサブキャリア間隔によって定義された異なるニューメロロジに関連付けられ得る。保留データのデータタイプ（例えば、バッファステータスに関連付けられたＬＣＧ ＩＤ）は、ｓＴＴＩに関連付けられたアップリンクリソース２１０−ａおよび／またはＴＴＩに関連付けられたアップリンクリソース２１０−ｂがいくつかの通信（例えば、ＵＬＬ通信）のための（例えば、ＢＳＲ往復時間から生じる）レイテンシを低減するためにＵＥ１１５−ａに許可され得るように、示され得る。
【００５８】
[0066]  いくつかの態様では、ＳＲは、許可がＢＳＲ送信に必要とされるか否かを示す、オン／オフ情報ビットを含むＰＨＹ信号を含み得る。さらに、ＵＥ１１５−ａは、アップリンク送信のためのｓＴＴＩ（例えば、保留ＵＬＬデータのためのｓＴＴＩリソース２１０−ａ）を暗黙的にまたは明示的に要求し得る。ｓＴＴＩ ＰＵＣＣＨリソース上のＳＲおよび／またはＢＳＲ送信（例えば、短縮されたＳＲ（ｓＳＲ）および／または短縮されたＢＳＲ（ｓＢＳＲ））は、保留データの送信のための１つまたは複数のｓＴＴＩを暗黙的に要求し得る。すなわち、ｓＳＲおよび／またはｓＢＳＲの送信は、低レイテンシアップリンクトラフィックの存在を示し得、かつ（例えば、ＴＴＩ許可と比較して）アップリンクトラフィックに関するｓＴＴＩ許可のための要求をさらに示し得る。いくつかの態様では、ＵＥ１１５−ａは、ｓＴＴＩのための要求またはｓＴＴＩのインジケーションを含むように（例えば、１ｍｓのＴＴＩ ＰＵＣＣＨリソース上の）ＳＲ送信を修正することによって、明示的にｓＴＴＩを要求し得る。上述されたシナリオでは、基地局１０５−ａは、ｓＴＴＩにしたがって、（例えば、ｓＰＵＳＣＨ、ｓＰＵＣＣＨなどのための）許可２０５を送信し得る。
【００５９】
[0067]  ＢＳＲ送信の往復時間に関連付けられたレイテンシは、ｓＢＳＲ閾値を介して低減され得る。例えば、ｓＢＳＲ閾値は、ＬＣＧ ＩＤに関連付けられた予め定められたバッファサイズとして構成され得る。いくつかの態様では、（例えば、ｓＴＴＩが保留データの送信に適するように）ＬＣＧ ＩＤのバッファサイズが閾値を下回る場合、基地局１０５−ａは、ｓＢＳＲ閾値にしたがった許可をサイズし得る。このような態様では、ｓＢＳＲ閾値サイズの許可は、その許可が保留データを処理するのに十分な大きさであることを保証し得る（例えば、ｓＢＳＲ閾値は、ｓＴＴＩに関連付けられた最大の許可サイズに類似し得る）。この例では、ｓＢＳＲは、全く送信されない可能性がある（例えば、ｓＴＴＩが保留データに適しているときにｓＢＳＲ閾値サイズの許可が常に使用される際に、ＢＳＲ送信のための往復時間が削減され得る）。
【００６０】
[0068]  代替的に、ｓＢＳＲまたはＢＳＲの何れかの使用は、ｓＢＳＲ閾値サイズの許可が要求され得るか、またはＢＳＲによって示されたサイズの許可が要求され得るかを示すために使用され得る。いくつかの態様では、基地局１０５−ａは、ｓＢＳＲをトリガするために、いくつかのベアラ、トラフィックフロー、ＬＣＧ ＩＤなどを可能にするようにＵＥ１１５−ａを（例えば、制御メッセージを介して）構成し得る。ＬＣＧ ＩＤのバッファサイズが（例えば、基地局１０５−ａによって構成された）ｓＢＳＲ閾値を上回る場合、通常のＢＳＲ送信プロシージャが使用され得る。ＬＣＧ ＩＤのバッファサイズがｓＢＳＲ閾値を下回る場合、低レイテンシｓＢＳＲが使用され得る（例えば、ＢＳＲは、例えばｓＰＵＳＣＨを使用してｓＴＴＩ上で送られ得る）。ｓＢＳＲ閾値サイズの許可がｓＢＳＲ送信に応答して使用される態様では、ＢＳＲ送信に関連付けられた往復時間は、結果として得られる許可が、再度ｓＢＳＲ閾値のサイズとして常に設定され得る際に、さらに低減され得る。
【００６１】
[0069]  例えば、ＵＥ１１５−ａにおける保留ＵＬＬトラフィックは、ｓＳＲをトリガし得る。ｓＳＲは、ｓＰＵＣＣＨ上で送信され得る。ｓＳＲを受信すると、基地局１０５−ａは、ｓＰＵＳＣＨ許可を提供し得る。上述された技法によると、基地局１０５−ａがｓＳＲを受信するとき、基地局１０５−ａは、ＵＥ１１５−ａがｓＢＳＲ閾値を下回る保留データ（例えば、バッファサイズ）を有し得ることを決定し得る。したがって、基地局１０５−ａは、ｓＢＳＲ閾値サイズの許可をＵＥ１１５−ａに送信し得、それは、ＵＥ１１５−ａがｓＢＳＲおよび／またはＢＳＲを送信する必要性を減少させ得、ゆえに、ｓＢＳＲ／ＢＳＲ往復時間に関連付けられたレイテンシを低減する。
【００６２】
[0070]  ｓＳＲの送信の後にｓＰＵＳＣＨ許可を受信すると、ＵＥ１１５−ａは、保留データのタイプおよび量に加え、許可サイズに基づいて許可の使用を優先順位付けし得る。許可がｓＢＳＲ閾値以上である場合、許可がｓＢＳＲまたはＢＳＲに加えて全てのアップリンクデータを収容することができない場合にＵＥ１１５−ａがｓＢＳＲまたはＢＳＲを送り得ないように、ＵＥ１１５−ａは許可の使用（grant usage）のためのデータを優先順位付けし得る。例えば、ｓＰＵＳＣＨ上で送ることが可能な全てのアップリンクトラフィックを許可が収容している場合、ＵＥ１１５−ａは、許可の使用のためのデータを優先順位付けし得、許可がｓＢＳＲまたはＢＳＲに加えて全てのアップリンクデータを収容することができない場合、ｓＢＳＲまたはＢＳＲを送らない可能性がある。ある場合には、ＵＥ１１５−ａは、全体の（total）ＵＬＬデータサイズがｓＢＳＲ閾値を超えるように、ＵＥ１１５−ａがｓＳＲを送った後に、より多くのＵＬＬデータを受信し得る。ｓＰＵＳＣＨ上で送ることが可能な全てのアップリンクトラフィックをその許可が収容することができる場合、ＵＥ１１５−ａは、許可を使用するためにｓＢＳＲまたはＢＳＲを優先順位付けし得、ＵＥ１１５−ａは、できる限り多くのＵＬＬデータを含み得る。許可がｓＢＳＲ閾値よりも小さく、ｓＰＵＳＣＨ上で送ることが可能な全てのアップリンクトラフィックを収容することができない場合、ＵＥ１１５−ａは、許可の使用のためのｓＢＳＲを優先順位付けし得、許可中にできる限り多くのデータを含み得る。
【００６３】
[0071]  いくつかの態様では、基地局１０５−ａは、ｓＴＴＩのみ、ＴＴＩのみ、またはｓＴＴＩおよびＴＴＩの両方で送信されるべきベアラ（例えば、ＬＣＧ ＩＤ）からのデータを許可するようにＵＥ１１５−ａを構成し得る。基地局１０５−ａがｓＴＴＩデータ送信のためにＵＥ１１５−ａを構成する態様では、ＵＥ１１５−ａは、ｓＴＴＩのみのベアラのためにｓＳＲをトリガし得る。ＵＥ１１５−ａは、ｓＴＴＩ上で送信されることができる任意のベアラのためにｓＳＲをトリガし得る。すなわち、データ無線ベアラ（ＤＲＢ：data radio bearer）がｓＴＴＩのみである場合、ベアラは、低レイテンシであり得る。ＤＲＢがＴＴＩとｓＴＴＩとの両方である場合、低レイテンシ通信が利用され得る。基地局１０５−ａがｓＴＴＩおよびＴＴＩの両方、またはＴＴＩのみのためにＵＥ１１５−ａを構成する態様では、ＵＥ１１５−ａは、ＳＲをトリガし得る。ＵＥ１１５−ａおよび／または基地局１０５−ａは、１つまたは複数のベアラに関して、上述されたＵＥ１１５−ａのどの挙動が使用されるだろう（will）かを示すために、基地局１０５−ａにメッセージを送り得る。
【００６４】
[0072]  ＵＥ１１５−ａは、複数のベアラを利用し得、いくつかの態様では、ＵＬＬベアラは、ｓＴＴＩ許可のためのｓＳＲをトリガし得、インターネット（または他の）ベアラは、ＴＴＩ許可のためのＳＲをトリガし得る。このような態様では、ｓＳＲがトリガされる場合、任意のトリガされたＳＲはキャンセルされ得る。代替的に、ｓＳＲがトリガされる場合、他のトリガされたＳＲは、キャンセルされない可能性がある。ｓＳＲとＳＲとの両方がトリガされる場合、ＵＥ１１５−ａは、ｓＳＲのみを送り得る。許可（例えば、ｓＰＵＣＣＨリソースのための、ｓＰＵＳＣＨリソースための、など）が受信されるとき、許可のコンテンツが優先順位付けされ得る。（例えば、インターネットデータの）非ＵＬＬベアラバッファサイズ情報を含むＢＳＲを許可が収容することができる場合、ＵＥ１１５−ａは、許可の使用のためのＢＳＲ、およびトリガされたｓＳＲもまた含まれるベアラからの追加のデータに等しいデータを優先順位付けし得る。他の態様では、ＵＬＬデータは、ＵＬＬデータよりも（over）優先され得る。このような態様では、ＢＳＲは、空間が利用可能である場合にのみ許可に含まれ得る。さらに他の態様では、ＢＳＲが含まれる場合、ＵＥ１１５−ａは、ＳＲをキャンセルし得るか、またはそうでなければ、ＳＲを次の機会に延期する。
【００６５】
[0073]  いくつかの例では、ＵＥ１１５−ａは、サブフレーム中で、ＵＬＬのためのｓＳＲと非ＵＬＬのためのＳＲとを同時に送信し得る。ＰＵＣＣＨが特定の（certain）フォーマット（例えば、ＰＵＣＣＨフォーマット１ａ／１ｂなど）である場合、ＵＬＬのためのｓＳＲは、（例えば、ドロップされ得る）非ＵＬのためのＳＲに先行し得る。ＰＵＣＣＨが他のフォーマット（例えば、フォーマット３／４／５）である場合、ＵＥ１１５−ａは、ＵＬＬのためのｓＳＲのみまたは両方を送信し得る。
【００６６】
[0074]  図３は、本開示の様々な態様にしたがった、低レイテンシワイヤレス通信のためのＳＲおよびＢＳＲをサポートするＢＳＲフォーマット３００の例を図示する。いくつかのケースでは、ＢＳＲフォーマットは、３ＧＰＰ（登録商標） ＴＳ．３６．３２１ ｖ１３．４．０ ＬＴＥフレームの例を指し（refer to）得る。ＢＳＲフォーマット３００に関連して説明される技法は、図１および図２に関連して上述されるようなＵＥ１１５によって利用され得る。ＢＳＲフォーマット３００は、バッファステータスについての情報（例えば、ＬＣＧ ＩＤ、バッファサイズ）を搬送し得る。現在の例では、ＢＳＲフォーマット３００は、情報のオクテットを表し得る（例えば、ＬＣＧ ＩＤおよびバッファサイズが情報の１バイトおよび８ビットを使用して搬送され得る）。ＢＳＲフォーマット３００は、ＬＣＧ ＩＤフィールド３０５およびバッファサイズフィールド３１０を含み得る。ＬＣＧ ＩＤフィールド３０５は、トラフィックタイプ（例えば、ＶｏＬＴＥ、インターネットなど）に関連付けられた１つまたは複数の論理チャネルを示し得る。ＵＥ１１５は、異なるトラフィックタイプに関して別個の（例えば、個々の）バッファサイズをレポートし得る。すなわち、ＵＥ１１５は、異なるトラフィックタイプ（例えば、ＵＬＬデータまたはボイスデータ）に関連付けられた情報を搬送するために、複数のＢＳＲフォーマット（例えば、ＢＳＲフォーマット３００に類似する）を使用し得る。このような態様では、バッファに関連付けられたトラフィックタイプまたは追加のＬＣＧ ＩＤごと（each additional LCG ID or traffic type）に、さらなるバイトが使用され得る。
【００６７】
[0075]  図４は、本開示の様々な態様にしたがった、低レイテンシワイヤレス通信のためのＳＲおよびＢＳＲをサポートする処理フロー４００の例を図示する。処理フロー４００は、基地局１０５−ｂとＵＥ１１５−ｂとを含み、それは、図１および図２を参照して上述されたような基地局１０５およびＵＥ１１５の態様の例であり得る。４０５において、ＵＥ１１５−ｂは、データタイプ（例えば、保留中のＵＬＬデータなど）のデータを識別し得る。いくつかの態様では、ＵＥ１１５−ｂは、保留データ（例えば、バッファのサイズ）に対応するデータサイズをさらに決定し得る。
【００６８】
[0076]  ４１０において、ＵＥ１１５−ｂは、データタイプに関連付けられたリソースの許可のためのＳＲを送信し得る。異なるデータタイプに関連付けられたリソースは、異なる持続期間、周波数などのＴＴＩを有し得る。例えば、低レイテンシデータタイプに関連付けられたリソースの許可のためのＳＲがｓＴＴＩリソースを要求し得、一方、他のデータタイプ（例えば、インターネット）に関連付けられたリソースの許可のためのＳＲは、ＴＴＩリソースを要求し得る。いくつかの態様では、ＳＲは、制御チャネル（例えば、ＰＵＣＣＨ）に関連付けられたＴＴＩを使用して送信され得、ＳＲは、（例えば、ｓＰＵＣＣＨ送信を介して）４０５において識別されたデータタイプに関連付けられたｓＴＴＩを示し得る。さらに、ＳＲは、（例えば、保留データの）決定されたデータサイズとバッファ閾値との間の比較などに基づき得る。
【００６９】
[0077]  ４１５において、基地局１０５−ｂは、４１０で受信されたＳＲに応答して、ＵＥ１１５−ｂにリソースのセット（例えば、ｓＰＵＣＣＨリソース、低レイテンシデータのためのｓＰＵＳＣＨリソースなど）を示すアップリンク許可を送信し得る。いくつかの態様では、基地局１０５−ｂは、（例えば、基地局１０５−ｂによって構成される）バッファ閾値のインジケーションを送信し得る。いくつかの態様では、ＵＥ１１５−ｂは、第１のデータタイプ（例えば、低レイテンシデータ）、第２のデータタイプ（例えば、インターネットトラフィック）、または両方の通信のために構成された少なくとも１つの無線ベアラを示す無線ベアラ構成を受信し得る。
【００７０】
[0078]  いくつかの態様では、ＵＥ１１５−ｂは、アップリンク許可によって識別されたリソースのセットを使用して、４０５で識別されたデータタイプ（例えば、低レイテンシデータ）の追加のデータの識別、または異なるデータタイプの追加のデータの識別に基づいて、ＢＳＲを送信し得る。
【００７１】
[0079]  ４２０において、ＵＥ１１５−ｂは、基地局１０５−ｂに（例えば、４０５で決定された、識別されたデータタイプの）データを送信し得る。データは、４１５で受信されたアップリンク許可によって識別されたリソースのセットを使用して送信され得る。４１５の後に追加のデータが識別される態様では、追加のデータは、アップリンク許可によって識別されたリソースのセットを使用して送信され得る。このような態様では、４０５の識別されたデータと、追加のデータに対応するＢＳＲとが優先順位付けされ得る。４０５の識別されたデータおよび追加のデータは、優先順位付けにしたがってアップリンク許可によって示されるリソースを使用して送信され得る。
【００７２】
[0080]  図５は、本開示の態様にしたがった、低レイテンシワイヤレス通信のためのＳＲおよびＢＳＲをサポートするワイヤレスデバイス５０５のブロック図５００を示す。ワイヤレスデバイス５０５は、図１を参照して説明されるようなＵＥ１１５の態様の例であり得る。ワイヤレスデバイス５０５は、受信機５１０、ＵＥ通信マネージャ５１５、および送信機５２０を含み得る。ワイヤレスデバイス５０５はまた、プロセッサを含み得る。これらのコンポーネントの各々は、（例えば、１つまたは複数のバスを介して）互いと通信状態にあり得る。
【００７３】
[0081]  受信機５１０は、様々な情報チャネルに関連付けられたパケット、ユーザデータ、または制御情報（例えば、低レイテンシワイヤレス通信のためのＳＲおよびＢＳＲに関連する、制御チャネル、データチャネル、および情報など）のような情報を受信し得る。情報は、デバイスの他のコンポーネントにわたされ（be passed on to）得る。受信機５１０は、図８を参照して説明されるトランシーバ８３５の態様の例であり得る。受信機５１０は、単一のアンテナまたはアンテナのセットを利用し得る。
【００７４】
[0082]  ＵＥ通信マネージャ５１５は、図８を参照して説明されるＵＥ通信マネージャ８１５の態様の例であり得る。ＵＥ通信マネージャ５１５および／またはその様々なサブコンポーネントのうちの少なくともいくつかは、ハードウェア、プロセッサによって実行されるソフトウェア、ファームウェア、またはこれらの任意の組み合わせで実装され得る。プロセッサによって実行されるソフトウェアで実装される場合、ＵＥ通信マネージャ５１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、あるいは本開示で説明される機能を行うように設計されたこれらの任意の組み合わせによって実行され得る。
【００７５】
[0083]  ＵＥ通信マネージャ５１５および／またはその様々なサブコンポーネントのうちの少なくともいくつかは、機能の部分が１つまたは複数の物理的デバイスによって異なる物理的なロケーションにおいて実装されるように分散されていることを含む、（, including）様々な位置に物理的に位置し得る。いくつかの例では、ＵＥ通信マネージャ５１５および／またはその様々なサブコンポーネントのうちの少なくともいくつかは、本開示の様々な態様にしたがった、別個のおよび異なるコンポーネントであり得る。他の例では、ＵＥ通信マネージャ５１５および／またはその様々なサブコンポーネントのうちの少なくともいくつかは、それらに限定はされないが、本開示の様々な態様にしたがった、Ｉ／Ｏコンポーネント、トランシーバ、ネットワークサーバ、別のコンピューティングデバイス、本開示で説明される１つまたは複数の他のコンポーネント、またはこれらの組み合わせを含む、１つまたは複数の他のハードウェアコンポーネントと組み合わされ得る。
【００７６】
[0084]  ＵＥ通信マネージャ５１５は、第１のデータタイプのデータを識別することと、第１のデータタイプに関連付けられたリソースの許可のためのスケジューリング要求を送信することと、ここで、第１のデータタイプに関連付けられたリソースと第２のデータタイプに関連付けられたリソースとは、異なる持続期間のＴＴＩを有し、スケジューリング要求に応答して、第１のデータタイプに関連付けられたリソースのセットを示すアップリンク許可を受信することと、アップリンク許可によって示されたリソースのセットを使用して、第１のデータタイプの識別されたデータ、またはＢＳＲ、または両方を送信することと、を行い得る。
【００７７】
[0085]  送信機５２０は、デバイスの他のコンポーネントによって生成される信号を送信し得る。いくつかの例では、送信機５２０は、トランシーバモジュール中で受信機５１０とコロケートされ得る。例えば、送信機５２０は、図８を参照して説明されるトランシーバ８３５の態様の例であり得る。送信機５２０は、単一のアンテナまたはアンテナのセットを利用し得る。
【００７８】
[0086]  図６は、本開示の態様にしたがった、低レイテンシワイヤレス通信のためのＳＲおよびＢＳＲをサポートするワイヤレスデバイス６０５のブロック図６００を示す。ワイヤレスデバイス６０５は、図１および図５を参照して説明されるようなワイヤレスデバイス５０５またはＵＥ１１５の態様の例であり得る。ワイヤレスデバイス６０５は、受信機６１０、ＵＥ通信マネージャ６１５、および送信機６２０を含み得る。ワイヤレスデバイス６０５はまた、プロセッサを含み得る。これらのコンポーネントの各々は、（例えば、１つまたは複数のバスを介して）互いと通信状態にあり得る。
【００７９】
[0087]  受信機６１０は、様々な情報チャネルに関連付けられたパケット、ユーザデータ、または制御情報（例えば、低レイテンシワイヤレス通信のためのＳＲおよびＢＳＲに関連する、制御チャネル、データチャネル、および情報など）のような情報を受信し得る。情報は、デバイスの他のコンポーネントにわたされ得る。受信機６１０は、図８を参照して説明されるトランシーバ８３５の態様の例であり得る。受信機６１０は、単一のアンテナまたはアンテナのセットを利用し得る。
【００８０】
[0088]  ＵＥ通信マネージャ６１５は、図８を参照して説明されるＵＥ通信マネージャ８１５の態様の例であり得る。ＵＥ通信マネージャ６１５はまた、データ識別子６２５、ＳＲコンポーネント６３０、許可コンポーネント６３５、およびデータ送信コンポーネント６４０を含み得る。データ識別子６２５は、第１のデータタイプのデータを識別し得る。いくつかの態様では、第１のデータタイプは、低レイテンシ通信に関連付けられ得る。
【００８１】
[0089]  ＳＲコンポーネント６３０は、第１のデータタイプに関連付けられたリソースの許可のためのスケジューリング要求を送信し得、ここで、第１のデータタイプに関連付けられたリソースと第２のデータタイプに関連付けられたリソースとは、異なる持続期間のＴＴＩを有する。いくつかの態様では、スケジューリング要求を送信することは、第２のデータタイプの制御チャネルに関連付けられたＴＴＩを使用して、スケジューリング要求を送信することを含む。いくつかの態様では、スケジューリング要求は、第１のデータタイプに関連付けられたｓＴＴＩを示す。いくつかの態様では、スケジューリング要求を送信することは、ｓＴＴＩ上の制御チャネルを使用して、スケジューリング要求を送信することを含む。いくつかの態様では、制御チャネルは、ＰＵＣＣＨであり得る。代替的には、制御チャネルは、ｓＰＵＣＣＨであり得る。いくつかの態様では、第１のデータタイプに関連付けられたリソースは、ｓＰＵＳＣＨリソースを含む。
【００８２】
[0090]  許可コンポーネント６３５は、スケジューリング要求に応答して、第１のデータタイプに関連付けられたリソースのセットを示すアップリンク許可を受信し得る。
【００８３】
[0091]  データ送信コンポーネント６４０は、アップリンク許可によって示されたリソースのセットを使用して、第１のデータタイプの識別されたデータ、またはＢＳＲ、または両方を送信し、アップリンク許可によって示されたリソースのセットを使用して、第１のデータタイプまたは第２のデータタイプの追加のデータを送信し得る。
【００８４】
[0092]  送信機６２０は、デバイスの他のコンポーネントによって生成される信号を送信し得る。いくつかの例では、送信機６２０は、トランシーバモジュール中で受信機６１０とコロケートされ得る。例えば、送信機６２０は、図８を参照して説明されるトランシーバ８３５の態様の例であり得る。送信機６２０は、単一のアンテナまたはアンテナのセットを利用し得る。
【００８５】
[0093]  図７は、本開示の態様にしたがった、低レイテンシワイヤレス通信のためのＳＲおよびＢＳＲをサポートするＵＥ通信マネージャ７１５のブロック図７００を示す。ＵＥ通信マネージャ７１５は、図５、図６、および図８を参照して説明されるＵＥ通信マネージャ５１５、ＵＥ通信マネージャ６１５、またはＵＥ通信マネージャ８１５の態様の例であり得る。ＵＥ通信マネージャ７１５は、データ識別子７２０、ＳＲコンポーネント７２５、許可コンポーネント７３０、データ送信コンポーネント７３５、データサイズコンポーネント７４０、ＢＳＲコンポーネント７４５、優先順位付けコンポーネント７５０、および無線ベアラコンポーネント７５５を含み得る。これらのモジュールの各々は、（例えば、１つまたは複数のバスを介して）互いと直接または間接的に通信し得る。
【００８６】
[0094]  データ識別子７２０は、第１のデータタイプのデータを識別し得る。いくつかの態様では、第１のデータタイプは、低レイテンシ通信に関連付けられ得る。
【００８７】
[0095]  ＳＲコンポーネント７２５は、第１のデータタイプに関連付けられたリソースの許可のためのスケジューリング要求を送信し得、ここで、第１のデータタイプに関連付けられたリソースと第２のデータタイプに関連付けられたリソースとは、異なる持続期間のＴＴＩを有する。いくつかの態様では、スケジューリング要求を送信することは、第２のデータタイプの制御チャネルに関連付けられたＴＴＩを使用して、スケジューリング要求を送信することを含む。いくつかの態様では、スケジューリング要求は、第１のデータタイプに関連付けられたｓＴＴＩを示す。いくつかの態様では、制御チャネルは、ＰＵＣＣＨであり得る。いくつかの態様では、スケジューリング要求を送信することは、ｓＴＴＩ上で制御チャネルを使用してスケジューリング要求を送信することを含む。いくつかの態様では、制御チャネルは、ｓＰＵＣＣＨであり得る。いくつかの態様では、第１のデータタイプに関連付けられたリソースは、ｓＰＵＳＣＨリソースを含む。
【００８８】
[0096]  許可コンポーネント７３０は、スケジューリング要求に応答して、第１のデータタイプに関連付けられたリソースのセットを示すアップリンク許可を受信し得る。
【００８９】
[0097]  データ送信コンポーネント７３５は、アップリンク許可によって示されたリソースのセットを使用して、第１のデータタイプの識別されたデータ、またはＢＳＲ、または両方を送信し、アップリンク許可によって示されたリソースのセットを使用して、第１のデータタイプまたは第２のデータタイプの追加のデータを送信し得る。
【００９０】
[0098]  データサイズコンポーネント７４０は、第１のデータタイプの識別されたデータに対応するデータサイズを決定し得、ここで、第１のデータタイプの識別されたデータ、またはＢＳＲ、または両方の送信は、決定されたデータサイズとバッファ閾値との間の比較に基づく。データサイズコンポーネント７４０は、基地局から、基地局によって構成されたバッファ閾値のインジケーションを受信し得、第１のデータタイプの識別されたデータに対応するデータサイズを決定し得、ここで、第１のデータタイプの識別されたデータ、またはＢＳＲ、または両方の送信は、決定されたデータサイズとアップリンク許可サイズとの間の比較に基づき得る。
【００９１】
[0099]  ＢＳＲコンポーネント７４５は、アップリンク許可によって識別されたリソースのセットを使用して、第１のデータタイプまたは第２のデータタイプの追加のデータの識別に基づいてバッファステータスレポートを送信し得る。
【００９２】
[0100]  優先順位付けコンポーネント７５０は、第１のデータタイプの識別されたデータと、第１のデータタイプまたは第２のデータタイプの追加のデータに対応するバッファステータスレポートとを優先順位付けし得る。いくつかの態様では、第１のデータタイプの識別されたデータと、第１のデータタイプまたは第２のデータタイプの追加のデータとは、優先順位付けに基づいて、アップリンク許可によって示されたリソースのセットを使用して送信され得る。
【００９３】
[0101]  無線ベアラコンポーネント７５５は、基地局から、第１のデータタイプ、第２のデータタイプ、または両方の通信のために構成された少なくとも１つの無線ベアラを示す無線ベアラ構成を受信し得る。
【００９４】
[0102]  図８は、本開示の態様にしたがった、低レイテンシワイヤレス通信のためのＳＲおよびＢＳＲをサポートするデバイス８０５を含むシステム８００の図を示す。デバイス８０５は、例えば、図１、図５、および図６を参照して上述されたような、ワイヤレスデバイス５０５、ワイヤレスデバイス６０５、またはＵＥ１１５のコンポーネントを含むか、またはその例であり得る。デバイス８０５は、ＵＥ通信マネージャ８１５、プロセッサ８２０、メモリ８２５、ソフトウェア８３０、トランシーバ８３５、アンテナ８４０、およびＩ／Ｏコントローラ８４５を含む、通信を送信および受信するためのコンポーネントを含む双方向音声およびデータ通信のためのコンポーネントを含み得る。これらのコンポーネントは、１つまたは複数のバス（例えば、バス８１０）を介して電子通信状態に（in electronic communication）あり得る。デバイス８０５は、１つまたは複数の基地局１０５とワイヤレスに通信し得る。
【００９５】
[0103]  プロセッサ８２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブル論理デバイス、ディスクリートゲートまたはトランジスタ論理コンポーネント、ディスクリートハードウェアコンポーネント、またはこれらの任意の組み合わせ）を含み得る。いくつかの態様では、プロセッサ８２０は、メモリコントローラを使用してメモリアレイを動作させるように構成され得る。他の態様では、メモリコントローラは、プロセッサ８２０に一体化され得る。プロセッサ８２０は、様々な機能（例えば、低レイテンシワイヤレス通信のためのＳＲおよびＢＳＲをサポートする機能またはタスク）を行うために、メモリに記憶されたコンピュータ可読命令を実行するように構成され得る。
【００９６】
[0104]  メモリ８２５は、ランダムアクセスメモリ（ＲＡＭ）および読取専用メモリ（ＲＯＭ）を含み得る。メモリ８２５は、実行されると、プロセッサに、本明細書に説明された様々な機能を行わせることを行わせる命令を含む、コンピュータ読み取り可能なコンピュータ実行可能ソフトウェア８３０を記憶し得る。いくつかの態様では、メモリ８２５は、特に、周辺コンポーネントまたはデバイスとの相互作用などの基本ハードウェアおよび／またはソフトウェア動作を制御し得る基本入出力システム（ＢＩＯＳ）を含み得る。
【００９７】
[0105]  ソフトウェア８３０は、低レイテンシワイヤレス通信のためのＳＲおよびＢＳＲをサポートするためのコードを含む、本開示の態様を実装するためのコードを含み得る。ソフトウェア８３０は、システムメモリまたは他のメモリなどの、非一時的コンピュータ可読媒体に記憶され得る。いくつかの態様では、ソフトウェア８３０は、プロセッサによって直接実行可能ではないことがあり得るが、（例えば、コンパイルおよび実行されたときに）コンピュータに、本明細書で説明される機能を行わせ得る。
【００９８】
[0106]  トランシーバ８３５は、上述されるように、１つまたは複数のアンテナ、ワイヤードまたはワイヤレスリンクを介して双方向に通信し得る。例えば、トランシーバ８３５は、ワイヤレストランシーバを表し、別のワイヤレストランシーバと双方向に通信し得る。トランシーバ８３５はまた、パケットを変調し、変調されたパケットを送信のためにアンテナに提供し、アンテナから受信されたパケットを復調するためのモデムを含み得る。
【００９９】
[0107]  いくつかの態様では、ワイヤレスデバイスは、単一のアンテナ８４０を含み得る。しかしながら、いくつかの態様では、デバイスは、１つまたは複数の（more than one）アンテナ８４０を有し得、それは、複数のワイヤレス送信を同時に送信または受信することが可能であり得る。
【０１００】
[0108]  Ｉ／Ｏコントローラ８４５は、デバイス８０５のための入力および出力信号を管理し得る。Ｉ／Ｏコントローラ８４５はまた、デバイス８０５に一体化されていない周辺機器を管理し得る。いくつかの態様では、Ｉ／Ｏコントローラ８４５は、外部周辺機器への物理的接続またはポートを表し得る。いくつかの態様では、Ｉ／Ｏコントローラ８４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の態様では、Ｉ／Ｏコントローラ８４５は、モデム、キーボード、マウス、タッチスクリーン、または類似するデバイスを表すか、またはそれらと相互作用する。いくつかの態様では、Ｉ／Ｏコントローラ８４５は、プロセッサの一部として実装され得る。いくつかの態様では、ユーザは、Ｉ／Ｏコントローラ８４５を介して、またはＩ／Ｏコントローラ８４５によって制御されたハードウェアコンポーネントを介して、デバイス８０５と相互作用し得る。
【０１０１】
[0109]  図９は、本開示の態様にしたがった、低レイテンシワイヤレス通信のためのＳＲおよびＢＳＲをサポートするワイヤレスデバイス９０５のブロック図９００を示す。ワイヤレスデバイス９０５は、図１を参照して説明されるような基地局の１０５の態様の例であり得る。ワイヤレスデバイス９０５は、受信機９１０、基地局通信マネージャ９１５、および送信機９２０を含み得る。ワイヤレスデバイス９０５はまた、プロセッサを含み得る。これらのコンポーネントの各々は、（例えば、１つまたは複数のバスを介して）互いと通信状態にあり得る。
【０１０２】
[0110]  受信機９１０は、様々な情報チャネルに関連付けられたパケット、ユーザデータ、または制御情報（例えば、低レイテンシワイヤレス通信のためのＳＲおよびＢＳＲに関連する、制御チャネル、データチャネル、および情報など）のような情報を受信し得る。情報は、デバイスの他のコンポーネントにわたされ得る。受信機９１０は、図１２を参照して説明されるトランシーバ１２３５の態様の例であり得る。受信機９１０は、単一のアンテナまたはアンテナのセットを利用し得る。
【０１０３】
[0111]  基地局通信マネージャ９１５は、図１２を参照して説明される基地局通信マネージャ１２１５の態様の例であり得る。基地局通信マネージャ９１５および／またはその様々なサブコンポーネントのうちの少なくともいくつかは、ハードウェア、プロセッサによって実行されるソフトウェア、ファームウェア、またはこれらの任意の組み合わせで実装され得る。プロセッサによって実行されるソフトウェアで実装される場合、基地局通信マネージャ９１５および／またはその様々なサブコンポーネントのうちの少なくともいくつかの機能は、汎用プロセッサ、ＤＳＰ、ＡＳＩＣ、ＦＰＧＡまたは他のプログラマブル論理デバイス、ディスクリートゲートまたはトランジスタロジック、ディスクリートハードウェアコンポーネント、あるいは本開示で説明される機能を行うように設計されたこれらの任意の組み合わせによって実行され得る。
【０１０４】
[0112]  基地局通信マネージャ９１５および／またはその様々なサブコンポーネントのうちの少なくともいくつかは、機能の部分が１つまたは複数の物理的デバイスによって異なる物理的なロケーションにおいて実装されるように分散されていることを含む、様々な位置に物理的に位置し得る。いくつかの例では、基地局通信マネージャ９１５および／またはその様々なサブコンポーネントのうちの少なくともいくつかは、本開示の様々な態様にしたがった、別個のおよび異なるコンポーネントであり得る。他の例では、基地局通信マネージャ９１５および／またはその様々なサブコンポーネントのうちの少なくともいくつかは、それらに限定はされないが、本開示の様々な態様にしたがった、Ｉ／Ｏコンポーネント、トランシーバ、ネットワークサーバ、別のコンピューティングデバイス、本開示で説明される１つまたは複数の他のコンポーネント、またはこれらの組み合わせを含む、１つまたは複数の他のハードウェアコンポーネントと組み合わされ得る。
【０１０５】
[0113]  基地局通信マネージャ９１５は、ＵＥから、第１のデータタイプに関連付けられたリソースの許可のためのスケジューリング要求を受信することと、ここで、第１のデータタイプに関連付けられたリソースと第２のデータタイプに関連付けられたリソースとは、異なる持続期間のＴＴＩを有し、スケジューリング要求に応答して、第１のデータタイプに関連付けられたリソースのセットを決定することと、ＵＥに、リソースの決定されたセットを示すアップリンク許可を送信することと、を行い得る。
【０１０６】
[0114]  送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１２を参照して説明されるトランシーバ１２３５の態様の例であり得る。送信機９２０は、単一のアンテナまたはアンテナのセットを利用し得る。
【０１０７】
[0115]  図１０は、本開示の態様にしたがった、低レイテンシワイヤレス通信のためのＳＲおよびＢＳＲをサポートするワイヤレスデバイス１００５のブロック図１０００を示す。ワイヤレスデバイス１００５は、図１および図９を参照して説明されるワイヤレスデバイス９０５または基地局１０５の態様の例であり得る。ワイヤレスデバイス１００５は、受信機１０１０、基地局通信マネージャ１０１５、および送信機１０２０を含み得る。ワイヤレスデバイス１００５はまた、プロセッサを含み得る。これらのコンポーネントの各々は、（例えば、１つまたは複数のバスを介して）互いと通信状態にあり得る。
【０１０８】
[0116]  受信機１０１０は、様々な情報チャネルに関連付けられたパケット、ユーザデータ、または制御情報（例えば、低レイテンシワイヤレス通信のためのＳＲおよびＢＳＲに関連する、制御チャネル、データチャネル、および情報など）のような情報を受信し得る。情報は、デバイスの他のコンポーネントにわたされ得る。受信機１０１０は、図１２を参照して説明されるトランシーバ１２３５の態様の例であり得る。受信機１０１０は、単一のアンテナまたはアンテナのセットを利用し得る。
【０１０９】
[0117]  基地局通信マネージャ１０１５は、図１２を参照して説明される基地局通信マネージャ１２１５の態様の例であり得る。基地局通信マネージャ１０１５はまた、ＳＲコンポーネント１０２５、リソースコンポーネント１０３０、およびアップリンク許可コンポーネント１０３５も含み得る。
【０１１０】
[0118]  ＳＲコンポーネント１０２５は、ＵＥから、第１のデータタイプに関連付けられたリソースの許可のためのスケジューリング要求を受信し得、ここで、第１のデータタイプに関連付けられたリソースと第２のデータタイプに関連付けられたリソースとは、異なる持続期間のＴＴＩを有する。いくつかの態様では、スケジューリング要求を受信することは、第２のデータタイプの制御チャネルに関連付けられたＴＴＩを介して、スケジューリング要求を受信することを含む。いくつかの態様では、スケジューリング要求は、第１のデータタイプに関連付けられたｓＴＴＩを示す。いくつかの態様では、制御チャネルは、ＰＵＣＣＨであり得る。いくつかの態様では、スケジューリング要求を受信することは、ｓＴＴＩ上の制御チャネルを介してスケジューリング要求を受信することを含む。いくつかの態様では、制御チャネルは、ｓＰＵＣＣＨであり得る。いくつかの態様では、第１のデータタイプは、低レイテンシ通信に関連付けられ得る。
【０１１１】
[0119]  リソースコンポーネント１０３０は、スケジューリング要求に応答して、第１のデータタイプに関連付けられたリソースのセットを決定し得る。いくつかの態様では、リソースの決定されたセットは、ｓＰＵＳＣＨリソースを含む。
【０１１２】
[0120]  アップリンク許可コンポーネント１０３５は、ＵＥに、リソースの決定されたセットを示すアップリンク許可を送信し得る。
【０１１３】
[0121]  送信機１０２０は、デバイスの他のコンポーネントによって生成される信号を送信し得る。いくつかの例では、送信機１０２０は、トランシーバモジュール中で受信機１０１０とコロケートされ得る。例えば、送信機１０２０は、図１２を参照して説明されるトランシーバ１２３５の態様の例であり得る。送信機１０２０は、単一のアンテナまたはアンテナのセットを利用し得る。
【０１１４】
[0122]  図１１は、本開示の態様にしたがった、低レイテンシワイヤレス通信のためのＳＲおよびＢＳＲをサポートする基地局通信マネージャ１１１５のブロック図１１００を示す。基地局通信マネージャ１１１５は、図９、１０、および１２を参照して説明される基地局通信マネージャ１２１５の態様の一例であり得る。基地局通信マネージャ１１１５は、ＳＲコンポーネント１１２０、リソースコンポーネント１１２５、アップリンク許可コンポーネント１１３０、データ受信コンポーネント１１３５、ＢＳＲコンポーネント１１４０、許可サイズコンポーネント１１４５、閾値コンポーネント１１５０、および無線ベアラコンポーネント１１５５を含み得る。これらのモジュールの各々は、互いと（例えば、１つまたは複数のバスを介して）直接または間接的に通信し得る。
【０１１５】
[0123]  ＳＲコンポーネント１１２０は、ＵＥから、第１のデータタイプに関連付けられたリソースの許可のためのスケジューリング要求を受信し得、ここで、第１のデータタイプに関連付けられたリソースと第２のデータタイプに関連付けられたリソースとは、異なる持続期間のＴＴＩを有する。いくつかの態様では、スケジューリング要求を受信することは、第２のデータタイプの制御チャネルに関連付けられたＴＴＩを介して、スケジューリング要求を受信することを含む。いくつかの態様では、スケジューリング要求は、第１のデータタイプに関連付けられたｓＴＴＩを示す。いくつかの態様では、制御チャネルは、ＰＵＣＣＨであり得る。いくつかの態様では、スケジューリング要求を受信することは、ｓＴＴＩ上の制御チャネルを介してスケジューリング要求を受信することを含む。いくつかの態様では、制御チャネルは、ｓＰＵＣＣＨであり得る。いくつかの態様では、第１のデータタイプは、低レイテンシ通信に関連付けられ得る。
【０１１６】
[0124]  リソースコンポーネント１１２５は、スケジューリング要求に応答して、第１のデータタイプに関連付けられたリソースのセットを決定し得る。いくつかの態様では、リソースの決定されたセットは、ｓＰＵＳＣＨリソースを含む。
【０１１７】
[0125]  アップリンク許可コンポーネント１１３０は、ＵＥに、リソースの決定されたセットを示すアップリンク許可を送信し得る。
【０１１８】
[0126]  データ受信コンポーネント１１３５は、ＵＥから、リソースの決定されたセットを介して第１のデータタイプのデータを受信し得る。
【０１１９】
[0127]  ＢＳＲコンポーネント１１４０は、リソースの決定されたセットを介して、第１のデータタイプまたは第２のデータタイプの追加のデータのためのバッファステータスレポートを受信し得る。
【０１２０】
[0128]  許可サイズコンポーネント１１４５は、ＵＥと基地局との両方に知られているバッファ閾値に基づいて、アップリンク許可サイズを決定し得、ここで、アップリンク許可は、アップリンク許可サイズを示す。いくつかの態様では、アップリンク許可サイズは、アップリンク許可に含まれるビット数（number of bits）を示す。
【０１２１】
[0129]  閾値コンポーネント１１５０は、ＵＥに、バッファ閾値のインジケーションを送信し得、ここで、スケジューリング要求は、バッファ閾値に基づく。
【０１２２】
[0130]  無線ベアラコンポーネント１１５５は、ＵＥに、第１のデータタイプ、第２のデータタイプ、または両方の通信のために構成された少なくとも１つの無線ベアラを示す無線ベアラ構成を送信し得る。
【０１２３】
[0131]  図１２は、本開示の態様にしたがった、低レイテンシワイヤレス通信のためのＳＲおよびＢＳＲをサポートするデバイス１２０５を含むシステム１２００の図を示す。デバイス１２０５は、例えば、図１を参照して上述されるような、基地局１０５のコンポーネントの例であるか、またはそれを含み得る。デバイス１２０５は、基地局通信マネージャ１２１５、プロセッサ１２２０、メモリ１２２５、ソフトウェア１２３０、トランシーバ１２３５、アンテナ１２４０、ネットワーク通信マネージャ１２４５、および局内通信マネージャ１２５０を含む、通信を送信および受信するためのコンポーネントを含む双方向音声およびデータ通信のためのコンポーネントを含み得る。これらのコンポーネントは、１つまたは複数のバス（例えば、バス１２１０）を介して電子通信状態にあり得る。デバイス１２０５は、１つまたは複数のＵＥ１１５とワイヤレスに通信し得る。
【０１２４】
[0132]  プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、ディスクリートゲートまたはトランジスタ論理コンポーネント、ディスクリートハードウェアコンポーネント、またはこれらの任意の組み合わせ）を含み得る。いくつかの態様では、プロセッサ１２２０は、メモリコントローラを使用してメモリアレイを動作させるように構成され得る。他の態様では、メモリコントローラは、プロセッサ１２２０に一体化され得る。プロセッサ１２２０は、様々な機能（例えば、低レイテンシ通信のためのＳＲおよびＢＳＲをサポートする機能またはタスク）を行うために、メモリに記憶されたコンピュータ可読命令を実行するように構成され得る。
【０１２５】
[0133]  メモリ１２２５は、ＲＡＭおよびＲＯＭを含み得る。メモリ１２２５は、実行されると、プロセッサに、本明細書に説明された様々な機能を行わせることを行わせる命令を含む、コンピュータ読み取り可能なコンピュータ実行可能ソフトウェア１２３０を記憶し得る。いくつかの態様では、メモリ１２２５は、特に、周辺コンポーネントまたはデバイスとの相互作用などの基本ハードウェアおよび／またはソフトウェア動作を制御し得るＢＩＯＳを含み得る。
【０１２６】
[0134]  ソフトウェア１２３０は、低レイテンシワイヤレス通信のためのＳＲおよびＢＳＲをサポートするためのコードを含む、本開示の態様を実装するためのコードを含み得る。ソフトウェア１２３０は、システムメモリまたは他のメモリなどの、非一時的コンピュータ可読媒体に記憶され得る。いくつかの態様では、ソフトウェア１２３０は、プロセッサによって直接実行可能ではないことがあり得るが、（例えば、コンパイルおよび実行されたときに）コンピュータに、本明細書で説明される機能を行わせ得る。
【０１２７】
[0135]  トランシーバ１２３５は、上述されるように、１つまたは複数のアンテナ、ワイヤードまたはワイヤレスリンクを介して双方向に通信し得る。例えば、トランシーバ１２３５は、ワイヤレストランシーバを表し、別のワイヤレストランシーバと双方向に通信し得る。トランシーバ１２３５はまた、パケットを変調し、変調されたパケットを送信のためにアンテナに提供し、アンテナから受信されたパケットを復調するためのモデムを含み得る。
【０１２８】
[0136]  いくつかの態様では、ワイヤレスデバイスは、単一のアンテナ１２４０を含み得る。しかしながら、いくつかの態様では、デバイスは、１つ以上の（more than one）アンテナ１２４０を有し得、それは、複数のワイヤレス送信を同時に送信または受信することが可能であり得る。
【０１２９】
[0137]  ネットワーク通信マネージャ１２４５は、（例えば、１つまたは複数のワイヤードバックホールリンクを介して）コアネットワークとの通信を管理し得る。例えば、ネットワーク通信マネージャ１２４５は、１つまたは複数のＵＥ１１５などのクライアントデバイスのためのデータ通信の転送を管理し得る。
【０１３０】
[0138]  局内通信マネージャ１２５０は、他の基地局１０５との通信を管理し得、他の基地局１０５と連携してＵＥ１１５との通信を制御するためのコントローラまたはスケジューラを含み得る。例えば、局内通信マネージャ１２５０は、ビームフォーミングまたはジョイント送信などの様々な干渉緩和技法のために、ＵＥ１１５への送信のためのスケジューリングを調整し得る。いくつかの例では、局内通信マネージャ１２５０は、基地局１０５間の通信を提供するために、ロングタームエボリューション（ＬＴＥ）／ＬＴＥ−Ａワイヤレス通信ネットワーク技術内のＸ２インターフェースを提供し得る。
【０１３１】
[0139]  図１３は、本開示の態様にしたがった、低レイテンシワイヤレス通信のためのＳＲおよびＢＳＲのための方法１３００を図示するフローチャートを示す。方法１３００の動作は、本明細書で説明されるようなＵＥ１１５またはそのコンポーネントによって実装され得る。例えば、方法１３００の動作は、図５〜図８を参照して説明されるように、ＵＥ通信マネージャによって実行され得る。いくつかの例では、ＵＥ１１５は、以下で説明される機能を行うために、デバイスの機能的な要素を制御するためのコードのセットを実行し得る。追加的にまたは代替的に、ＵＥ１１５は、専用ハードウェアを使用して、以下で説明される機能の態様を行い得る。
【０１３２】
[0140]  ブロック１３０５において、ＵＥ１１５は、第１のデータタイプのデータを識別し得る。ブロック１３０５の動作は、図１〜図４を参照して説明される方法にしたがって行われ得る。ある特定の例では、ブロック１３０５の動作の態様は、図５〜図８を参照して説明されるようなデータ識別子によって行われ得る。
【０１３３】
[0141]  ブロック１３１０において、ＵＥ１１５は、第１のデータタイプに関連付けられたリソースの許可のためのスケジューリング要求を送信し得、ここにおいて、第１のデータタイプに関連付けられたリソースと第２のデータタイプに関連付けられたリソースとは、異なる持続期間のＴＴＩを有する。ブロック１３１０の動作は、図１〜図４を参照して説明される方法にしたがって行われ得る。ある特定の例では、ブロック１３１０の動作の態様は、図５〜図８を参照して説明されるようなＳＲコンポーネントによって行われ得る。
【０１３４】
[0142]  ブロック１３１５において、ＵＥ１１５は、スケジューリング要求に応答して、第１のデータタイプに関連付けられたリソースのセットを示すアップリンク許可を受信し得る。ブロック１３１５の動作は、図１〜図４を参照して説明される方法にしたがって行われ得る。ある特定の例では、ブロック１３１５の動作の態様は、図５〜図８を参照して説明されるような許可コンポーネントによって行われ得る。
【０１３５】
[0143]  ブロック１３２０において、ＵＥ１１５は、アップリンク許可によって識別されたリソースのセットを使用して、第１のデータタイプの識別されたデータ、またはＢＳＲ、または両方を送信し得る。ブロック１３２０の動作は、図１〜図４を参照して説明される方法にしたがって行われ得る。ある特定の例では、ブロック１３２０の動作の態様は、図５〜図８を参照して説明されるようなデータ送信コンポーネントによって行われ得る。
【０１３６】
[0144]  図１４は、本開示の態様にしたがった、低レイテンシワイヤレス通信のためのＳＲおよびＢＳＲのための方法１４００を図示するフローチャートを示す。方法１４００の動作は、本明細書で説明されるような基地局１０５またはそのコンポーネントによって実装され得る。例えば、方法１４００の動作は、図９〜図１２を参照して説明されるような基地局通信マネージャによって行われ得る。いくつかの例では、基地局１０５は、以下で説明される機能を行うために、デバイスの機能的な要素を制御するためのコードのセットを実行し得る。追加的にまたは代替的に、基地局１０５は、専用ハードウェアを使用して、以下で説明される機能の態様を行い得る。
【０１３７】
[0145]  ブロック１４０５において、基地局１０５は、ＵＥから、第１のデータタイプに関連付けられたリソースの許可のためのスケジューリング要求を受信し得、ここにおいて、第１のデータタイプに関連付けられたリソースと第２のデータタイプに関連付けられたリソースとは、異なる持続期間のＴＴＩを有する。ブロック１４０５の動作は、図１〜図４を参照して説明される方法にしたがって行われ得る。ある特定の例では、ブロック１４０５の動作の態様は、図９〜図１２を参照して説明されるようなＳＲコンポーネントによって行われ得る。
【０１３８】
[0146]  ブロック１４１０において、基地局１０５は、スケジューリング要求に応答して、第１のデータタイプに関連付けられたリソースのセットを決定し得る。ブロック１４１０の動作は、図１〜図４を参照して説明される方法にしたがって行われ得る。ある特定の例では、ブロック１４１０の動作の態様は、図９〜図１２を参照して説明されるようなリソースコンポーネントによって行われ得る。
【０１３９】
[0147]  ブロック１４１５において、基地局１０５は、ＵＥに、リソースの決定されたセットを示すアップリンク許可を送信し得る。アップリンク許可は、アップリンク許可サイズを示し得る（例えば、アップリンク許可サイズがアップリンク許可に含まれるビット数を示し得る）。いくつかのケースでは、アップリンク許可サイズは、ＵＥと基地局との両方に知られているバッファ閾値に基づいて決定され得る。ブロック１４１５の動作は、図１〜図４を参照して説明される方法にしたがって行われ得る。ある特定の例では、ブロック１４１５の動作の態様は、図９〜図１２を参照して説明されるようなアップリンク許可コンポーネントによって行われ得る。
【０１４０】
[0148]  図１５は、本開示の態様にしたがった、低レイテンシワイヤレス通信のためのＳＲおよびＢＳＲのための方法１５００を例示するフローチャートを示す。方法１５００の動作は、本明細書で説明されるような基地局１０５またはそのコンポーネントによって実装され得る。例えば、方法１５００の動作は、図９〜図１２を参照して説明されるような基地局通信マネージャによって行われ得る。いくつかの例では、基地局１０５は、以下で説明される機能を行うために、デバイスの機能的な要素を制御するためのコードのセットを実行し得る。追加的にまたは代替的に、基地局１０５は、専用ハードウェアを使用して、以下で説明される機能の態様を行い得る。
【０１４１】
[0149]  ブロック１５０５において、基地局１０５は、ＵＥから、第１のデータタイプに関連付けられたリソースの許可のためのスケジューリング要求を受信し得、ここにおいて、第１のデータタイプに関連付けられたリソースと第２のデータタイプに関連付けられたリソースとは、異なる持続期間のＴＴＩを有する。ブロック１５０５の動作は、図１〜図４を参照して説明される方法にしたがって行われ得る。ある特定の例では、ブロック１５０５の動作の態様は、図９〜図１２を参照して説明されるようなＳＲコンポーネントによって行われ得る。
【０１４２】
[0150]  ブロック１５１０において、基地局１０５は、スケジューリング要求に応答して、第１のデータタイプに関連付けられたリソースのセットを決定し得る。ブロック１５１０の動作は、図１〜図４を参照して説明される方法にしたがって行われ得る。ある特定の例では、ブロック１５１０の動作の態様は、図９〜図１２を参照して説明されるようなリソースコンポーネントによって行われ得る。
【０１４３】
[0151]  ブロック１５１５において、基地局１０５は、ＵＥに、リソースの決定されたセットを示すアップリンク許可を送信し得る。アップリンク許可は、アップリンク許可サイズを示し得る（例えば、アップリンク許可サイズがアップリンク許可に含まれるビット数を示し得る）。いくつかのケースでは、アップリンク許可サイズは、ＵＥと基地局との両方に知られているバッファ閾値に基づいて決定され得る。ブロック１５１５の動作は、図１〜図４を参照して説明される方法にしたがって行われ得る。ある特定の例では、ブロック１５１５の動作の態様は、図９〜図１２を参照して説明されるようなアップリンク許可コンポーネントによって行われ得る。
【０１４４】
[0152]  ブロック１５２０において、基地局１０５は、ＵＥから、リソースの決定されたセットを介して第１のデータタイプのデータを受信し得る。ブロック１５２０の動作は、図１〜図４を参照して説明される方法にしたがって行われ得る。ある特定の例では、ブロック１５２０の動作の態様は、図９〜図１２を参照して説明されるようなデータ受信コンポーネントによって行われ得る。
【０１４５】
[0153]  上述された方法は、可能な実装を説明しており、動作およびステップは、再構成されるか、またはそうでなければ他の方法で変更され得、他の実装が可能であることに留意されたい。さらに、これら方法のうちの２つ以上からの態様が組み合わせられ得る。
【０１４６】
[0154]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムのために使用され得る。「システム」および「ネットワーク」という用語は、しばしば交換可能に使用される。符号分割多元接続（ＣＤＭＡ）システムは、ＣＤＭＡ２０００、ユニバーサル地上無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、ワイドバンドＣＤＭＡ（ＷＣＤＭＡ（登録商標））およびＣＤＭＡの他の変形を含む。ＴＤＭＡシステムは、モバイル通信用グローバルシステム（ＧＳＭ（登録商標）：Global System for Mobile Communications）などの無線技術を実装し得る。
【０１４７】
[0155]  ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭなどのような無線技術を実装し得る。ＵＴＲＡおよびＥ−ＵＴＲＡは、ユニバーサルモバイル電気通信システム（ＵＭＴＳ）の一部である。ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明される技法は、上述されたシステムおよび無線技術と同様に、他のシステムおよび無線技術にも使用され得る。ＬＴＥまたはＮＲシステムの態様が、例示の目的で説明され得、ＬＴＥまたはＮＲの用語が説明の大部分において使用され得る一方で、本明細書で説明される技法は、ＬＴＥまたはＮＲアプリケーションを超えて適用可能である。
【０１４８】
[0156]  本明細書で説明されたそのようなネットワークを含むＬＴＥ／ＬＴＥ−Ａネットワークでは、発展型ノードＢ（ｅＮＢ）という用語は概して、基地局を説明するために使用され得る。本明細書で説明される１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢ、次世代ノードＢ（ｇＮＢ）または基地局は、マクロセル、スモールセル、または他のタイプのセルに対して通信カバレッジを提供し得る。「セル」という用語は、コンテキストに応じて、基地局、基地局に関連付けられたキャリアまたはコンポーネントキャリア、あるいはキャリアまたは基地局のカバレッジエリア（例えば、セクタなど）を説明するために使用され得る。
【０１４９】
[0157]  基地局は、ベーストランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の適切な専門用語で当業者によって呼ばれ得るか、あるいはそれらを含み得る。基地局に対する地理的カバレッジエリアは、カバレッジエリアの一部分のみを構成するセクタへと分割され得る。本明細書で説明される１つまたは複数のワイヤレス通信システムは、異なるタイプの基地局（例えば、マクロまたはスモールセル基地局）を含み得る。本明細書で説明されるＵＥは、マクロｅＮＢ、スモールセルｅＮＢ、ｇＮＢ、中継基地局などを含む様々なタイプの基地局およびネットワーク機器と通信することが可能であり得る。異なる技術のために重複している地理的カバレッジエリアが存在し得る。
【０１５０】
[0158]  マクロセルは、概して、比較的大きい地理的エリア（例えば、半径数キロメートル）をカバーし、サービスに加入しているＵＥによるネットワークプロバイダとの無制限アクセスを可能にし得る。スモールセルは、マクロセルと同じまたは異なる（例えば、ラインセンス、アンライセンスなどの）周波数帯域で動作し得る、マクロセルと比較してより低い電力の基地局である。スモールセルは、様々な例によると、ピコセル、フェムトセル、およびマイクロセルを含み得る。ピコセルは、例えば、小さい地理的エリアをカバーし、ネットワークプロバイダにサービス加入しているＵＥによる無制限のアクセスを可能にし得る。フェムトセルもまた、小さい地理的エリア（例えば、家）をカバーし、フェムトセルとの関連付けを有するＵＥ（例えば、クローズド加入者グループ（ＣＳＧ）中のＵＥ、家の中にいるユーザのためのＵＥなど）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。
【０１５１】
[0159]  本明細書で説明された１つまたは複数のワイヤレス通信システムは、同期または非同期動作をサポートし得る。同期動作の場合、基地局は、同様のフレームタイミングを有し、異なる基地局からの送信は、時間で大まかにアラインされ得る。非同期動作について、基地局は、異なるフレームタイミングを有し得、また異なる基地局からの送信は、時間でアラインされない可能性がある。本明細書で説明される技法は、同期動作または非同期動作のいずれかのために使用され得る。
【０１５２】
[0160]  本明細書で説明されるダウンリンク送信は、順方向リンク送信とも呼ばれ、一方アップリンク送信は、逆方向リンク送信とも呼ばれ得る。例えば、図１および２のワイヤレス通信システム１００および２００を含む、本明細書で説明される各通信リンクは、１つまたは複数のキャリアを含み得、ここで、各キャリアは、複数のサブキャリア（例えば、異なる周波数の波形信号）からなる信号であり得る。
【０１５３】
[0161]  添付された図面に関連して本明細書に記載された説明は、例示的な構成を説明しており、実装され得るまたは特許請求の範囲内にある全ての例を表してはいない。本明細書で使用される「例示的な」という用語は、「例、事例、または例示としての役割を果たすこと」を意味しており、「好ましい」または「他の例より有利である」ということではない。詳細な説明は、説明される技法の理解を提供する目的で、特定の詳細を含む。しかしながら、これらの技法は、これらの特定の詳細がなくとも実施され得る。いくつかの事例では、周知の構造およびデバイスは、説明された例の概念を曖昧にすることを避けるために、ブロック図形式で示されている。
【０１５４】
[0162]  添付された図面では、同様のコンポーネントまたは特徴は、同じ参照ラベルを有し得る。さらに、同じタイプの様々なコンポーネントは、参照ラベルの後に、ダッシュと、それらの同様のコンポーネント間を区別する第２のラベルとを続けることによって区別され得る。第１の参照ラベルのみが明細書で使用されている場合、その説明は、第２の参照ラベルに関わらず、同じ第１の参照ラベルを有する同様のコンポーネントのうちの任意の１つに適用可能である。
【０１５５】
[0163]  本明細書で説明された情報および信号は、多様な異なる技術および技法のうちの任意のものを使用して表わされ得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組み合わせによって表され得る。
【０１５６】
[0164]  本明細書での開示に関連して説明された様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは本明細書で説明された機能を実施するように設計されたそれらの任意の組み合わせを用いて実装されるか、または行われ得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組み合わせ（例えば、ＤＳＰとマイクロプロセッサとの組み合わせ、複数のマイクロプロセッサ、ＤＳＰコアと連携する１つまたは複数のマイクロプロセッサ、あるいは任意の他のそのような構成）としても実装され得る。
【０１５７】
[0165]  本明細書で説明される機能は、ハードウェア、プロセッサによって実行されるソフトウェア、ファームウェア、またはそれらの任意の組み合わせにおいて実装され得る。プロセッサによって実行されるソフトウェアで実装される場合、機能は、１つまたは複数の命令またはコードとしてコンピュータ可読媒体上で記憶されるか、またはそれを介して送信され得る。他の例および実装は、本開示および添付の特許請求の範囲内にある。例えば、ソフトウェアの本質により、上述された機能は、プロセッサによって実行されるソフトウェア、ハードウェア、ファームウェア、ハードワイヤリング、またはこれらの任意の組み合わせを使用して実装され得る。機能を実装する特徴はまた、機能の部分が、異なる物理的ロケーションで実装されるように分散されることを含む、様々な場所に物理的に位置付けられ得る。また、請求項を含めて、本明細書で使用されるとき、項目のリストにおいて使用される「または」（例えば、「〜のうちの少なくとも１つ」あるいは「〜のうちの１つまたは複数」などのフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、選言的なリスト（disjunctive list）を示す。また、本明細書で使用されるとき、「〜に基づいて」という表現は、条件の閉集合（closed set of conditions）への参照として解釈されないものとする。例えば、「条件Ａに基づく」と説明される例示的な動作は、本開示の範囲から逸脱することなく、条件Ａおよび条件Ｂの両方に基づき得る。言い換えると、本明細書で使用される場合、「〜に基づく」という句は、「〜に少なくとも部分的に基づく」という句と同じ方法で解釈されることとなる。
【０１５８】
[0166]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、あるいは汎用または特殊用途プロセッサによってアクセスされることができる、任意の他の非一時的な媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるような、ディスク（disk）およびディスク（disc）は、ＣＤ、レーザーディスク（登録商標）、光ディスク、デジタル多目的ディスク（ＤＶＤ）、フロッピー（登録商標）ディスク、およびＢｌｕ−ｒａｙ（登録商標）ディスクを含み、ここで、ディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１５９】
[0167]  本明細書における説明は、当業者が本開示を製造または使用することを可能にするために提供される。本開示への様々な修正は当業者には容易に明らかであり、本明細書で定義した一般原理は、本開示から逸脱することなく他の変形に適用できる。よって、本開示は、本明細書に説明される例および設計に制限されるものではなく、本明細書に開示された原理および新規な特徴に合致する最も広い範囲が与えられるべきものである。
【図１】
2020511864.tif 000003
【図２】
2020511864.tif 000004
【図３】
2020511864.tif 000005
【図４】
2020511864.tif 000006
【図５】
2020511864.tif 000007
【図６】
2020511864.tif 000008
【図７】
2020511864.tif 000009
【図８】
2020511864.tif 000010
【図９】
2020511864.tif 000011
【図１０】
2020511864.tif 000012
【図１１】
2020511864.tif 000013
【図１２】
2020511864.tif 000014
【図１３】
2020511864.tif 000015
【図１４】
2020511864.tif 000016
【図１５】
2020511864.tif 000017
【国際調査報告】
2020511864.tif 000018
2020511864.tif 000019
2020511864.tif 000020